(57)【特許請求の範囲】
【請求項１】
ユーザ機器によって信号を受信する方法であって、前記方法は、
物理放送チャネル（ＰＢＣＨ）を介して、システム情報ブロックの受信のための時間−周波数リソースに関する情報を含むマスター情報ブロックを受信することと、
前記システム情報ブロック（ＳＩＢ）を受信することと
を含み、
前記ＳＩＢは、前記ユーザ機器がカバレッジ強化中ではない場合に、物理下りリンク制御チャネル（ＰＤＣＣＨ）上で受信される下りリンク制御情報に従って受信され、前記ＳＩＢは、前記ユーザ機器がカバレッジ強化中にある場合に、対応するＰＤＣＣＨの受信なしに前記マスター情報ブロック内に含まれた前記時間−周波数リソースに関する情報に従って、複数の連続したサブフレームにわたって反復して受信される、方法。
【請求項２】
前記ユーザ機器が第１の所定の時間期間内に同期信号を成功的に受信する場合に、前記ユーザ機器がカバレッジ強化中ではないと決定することと、
前記ユーザ機器が前記第１の所定の時間期間内に前記同期信号を成功的に受信することを失敗したが、前記第１の所定の時間期間より長い第２の所定の時間期間内に前記同期信号を成功的に受信する場合に、前記ユーザ機器がカバレッジ強化中にあると決定することと
をさらに含む、請求項１に記載の方法。
【請求項３】
前記ユーザ機器がカバレッジ強化中にある場合に、追加のサブフレームにおいても、各無線フレーム中のサブフレーム０〜９のうちのサブフレーム０においても前記ＰＢＣＨを受信することをさらに含む、請求項１または２に記載の方法。
【請求項４】
複数の所定のパラメータセット中の１つのパラメータセットを示すパラメータセット指示情報を前記システム情報ブロックとして受信することをさらに含む、請求項１または２に記載の方法。
【請求項５】
信号を受信するユーザ機器であって、前記ユーザ機器は、
無線周波数（ＲＦ）ユニットと、
プロセッサであって、
物理放送チャネル（ＰＢＣＨ）を介して、システム情報ブロックの受信のための時間−周波数リソースに関する情報を含むマスター情報ブロックを受信することと、
システム情報ブロック（ＳＩＢ）を受信することと
を行うように前記ＲＦユニットを制御するように構成されたプロセッサと
を含み、
前記ＳＩＢは、前記ユーザ機器がカバレッジ強化中ではない場合に、物理下りリンク制御チャネル（ＰＤＣＣＨ）上で受信される下りリンク制御情報に従って受信され、前記ＳＩＢは、前記ユーザ機器がカバレッジ強化中にある場合に、対応するＰＤＣＣＨの受信なしに前記マスター情報ブロック内に含まれた前記時間−周波数リソースに関する情報に従って、複数の連続したサブフレームにわたって反復して受信される、ユーザ機器。
【請求項６】
前記プロセッサは、
前記ユーザ機器が第１の所定の時間期間内に同期信号を成功的に受信する場合に、前記ユーザ機器がカバレッジ強化中ではないと決定することと、
前記ユーザ機器が前記第１の所定の時間期間内に前記同期信号を成功的に受信することを失敗したが、前記第１の所定の時間期間より長い第２の所定の時間期間内に前記同期信号を成功的に受信する場合に、前記ユーザ機器がカバレッジ強化中にあると決定することと
を行うように構成されている、請求項５に記載のユーザ機器。
【請求項７】
前記プロセッサは、前記ユーザ機器がカバレッジ強化中にある場合に、追加のサブフレームにおいても、各無線フレーム中のサブフレーム０〜９のうちのサブフレーム０においても前記ＰＢＣＨを受信するように前記ＲＦユニットを制御するように構成されている、請求項５または６に記載のユーザ機器。
【請求項８】
前記ＲＦユニットは、複数の所定のパラメータセット中の１つのパラメータセットを示すパラメータセット指示情報を前記システム情報ブロックとして受信する、請求項５または６に記載のユーザ機器。
【請求項９】
基地局によって信号を送信する方法であって、前記方法は、
物理放送チャネル（ＰＢＣＨ）を介して、システム情報ブロックの受信のための時間−周波数リソースに関する情報を含むマスター情報ブロックを送信することと、
システム情報ブロック（ＳＩＢ）を送信することと
を含み、
前記ＳＩＢは、カバレッジ強化中ではないユーザ機器に対して、物理下りリンク制御チャネル（ＰＤＣＣＨ）上で受信される下りリンク制御情報に従って送信され、前記ＳＩＢは、カバレッジ強化中のユーザ機器に対して、対応するＰＤＣＣＨの送信なしに前記マスター情報ブロック内に含まれた前記時間−周波数リソースに関する情報に従って、複数の連続したサブフレームにわたって反復して送信される、方法。
【請求項１０】
カバレッジ強化中の前記ユーザ機器に対して、追加のサブフレームにおいても、各無線フレーム中のサブフレーム０〜９のうちのサブフレーム０においても前記ＰＢＣＨを送信することをさらに含む、請求項９に記載の方法。
【請求項１１】
複数の所定のパラメータセット中の１つのパラメータセットを示すパラメータセット指示情報を前記システム情報ブロックとして送信することをさらに含む、請求項９または１０に記載の方法。
【請求項１２】
信号を送信する基地局であって、前記基地局は、
無線周波数（ＲＦ）ユニットと、
プロセッサであって、
物理放送チャネル（ＰＢＣＨ）を介して、システム情報ブロックの受信のための時間−周波数リソースに関する情報を含むマスター情報ブロックを送信することと、
システム情報ブロック（ＳＩＢ）を送信することと
を行うように前記ＲＦユニットを制御するように構成されたプロセッサと
を含み、
前記ＳＩＢは、カバレッジ強化中ではないユーザ機器に対して、物理下りリンク制御チャネル（ＰＤＣＣＨ）上で受信される下りリンク制御情報に従って送信され、前記ＳＩＢは、カバレッジ強化中のユーザ機器に対して、対応するＰＤＣＣＨの送信なしに前記マスター情報ブロック内に含まれた前記時間−周波数リソースに関する情報に従って、複数の連続したサブフレームにわたって反復して送信される、基地局。
【請求項１３】
前記プロセッサは、カバレッジ強化中の前記ユーザ機器に対して、追加のサブフレームにおいても、各無線フレーム中のサブフレーム０〜９のうちのサブフレーム０においても前記ＰＢＣＨを送信するように前記ＲＦユニットを制御するように構成されている、請求項１２に記載の基地局。
【請求項１４】
前記プロセッサは、複数の所定のパラメータセット中の１つのパラメータセットを示すパラメータセット指示情報を前記システム情報ブロックとして送信するように前記ＲＦユニットを制御するように構成されている、請求項１２または１３に記載の基地局。
【発明の詳細な説明】
【技術分野】
【０００１】
本発明は、無線通信システムに関し、信号を送信或いは受信する方法及びそのための装置に関する。
【背景技術】
【０００２】
機器間（Ｍａｃｈｉｎｅ−ｔｏ−Ｍａｃｈｉｎｅ、Ｍ２Ｍ）通信と、高いデータ送信量を要求するスマートフォン、タブレットＰＣなどの様々な装置及び技術が出現及び普及されている。これに伴い、セルラー網で処理されることが要求されるデータ量も急増している。このように急増するデータ処理要求量を満たすために、より多くの周波数帯域を效率的に用いるための搬送波集約（ｃａｒｒｉｅｒ  ａｇｇｒｅｇａｔｉｏｎ）技術、認知無線（ｃｏｇｎｉｔｉｖｅ  ｒａｄｉｏ）技術などと、限られた周波数内で送信されるデータ容量を高めるための多重アンテナ技術、多重基地局協調技術などが発展している。
【０００３】
一般の無線通信システムは、１つの下りリンク（ｄｏｗｎｌｉｎｋ、ＤＬ）帯域とこれに対応する１つの上りリンク（ｕｐｌｉｎｋ、ＵＬ）帯域でデータ送／受信を行ったり（周波数分割デュプレックス（ｆｒｅｑｕｅｎｃｙ  ｄｉｖｉｓｉｏｎ  ｄｕｐｌｅｘ、ＦＤＤ）モードの場合）、所定の無線フレーム（Ｒａｄｉｏ  Ｆｒａｍｅ）を時間ドメイン（ｔｉｍｅ  ｄｏｍａｉｎ）で上りリンク時間ユニットと下りリンク時間ユニットとに区分し、上りリンク／下りリンク時間ユニットでデータ送／受信を行う（時分割デュプレックス（ｔｉｍｅ  ｄｉｖｉｓｉｏｎ  ｄｕｐｌｅｘ、ＴＤＤ）モードの場合）。基地局（ｂａｓｅ  ｓｔａｔｉｏｎ、ＢＳ）とユーザ機器（ｕｓｅｒ  ｅｑｕｉｐｍｅｎｔ、ＵＥ）は、所定の時間ユニット（ｕｎｉｔ）、例えば、サブフレーム（ｓｕｂｆｒａｍｅ、ＳＦ）内で、スケジュールされたデータ及び／又は制御情報を送受信する。データは、上りリンク／下りリンクサブフレームに設定されたデータ領域を通じて送受信され、制御情報は、上りリンク／下りリンクサブフレームに設定された制御領域を通じて送受信される。そのために、無線信号を搬送する様々な物理チャネルが上りリンク／下りリンクサブフレームに設定される。これに対し、搬送波集約技術は、より広い周波数帯域を用いるために複数の上りリンク／下りリンク周波数ブロックを集めてより大きい上りリンク／下りリンク帯域幅を用いることによって、単一搬送波が用いられる場合に比べて多量の信号を同時に処理することができる。
【０００４】
一方、ＵＥが周辺で接続（ａｃｃｅｓｓ）し得るノード（ｎｏｄｅ）の密度が高くなる方向に通信環境が進化している。ノードとは、１つ以上のアンテナを有し、ＵＥと無線信号を送信／受信できる固定した地点（ｐｏｉｎｔ）のことを指す。高い密度のノードを具備した通信システムは、ノード間の協調によってより高い性能の通信サービスをＵＥに提供することができる。
【発明の概要】
【発明が解決しようとする課題】
【０００５】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に效率的に受信／送信するための新しい方案が要求される。
【０００６】
本発明が遂げようとする技術的課題は、以上で言及した技術的課題に制限されず、言及していない他の技術的課題は、以下の発明の詳細な説明から、本発明の属する技術の分野における通常の知識を有する者には明確に理解されるであろう。
【課題を解決するための手段】
【０００７】
本発明は、特定モードのユーザ機器のための上位層信号の送信のために新しい識別子を定義することを提案する。前記ユーザ機器が前記特定モードと設定されると、前記上位層信号は、前記新しい識別子を用いてスクランブルされて送信されたり、前記新しい識別子を用いた誤り検出符号と併せて送信されたり、前記新しい識別子を用いたユーザ機器特定的参照信号を用いて送信されたり、或いは前記新しい識別子を用いて送信された制御情報に基づいて送信されうる。
【０００８】
本発明の一様相として、ユーザ機器が信号を受信する方法において、複数のパラメータセットのうちの一つのパラメータセットを示す指示情報を受信し、前記指示情報に基づいて、前記複数のパラメータセットのうち、前記パラメータセットに含まれた値を上位層信号の値として設定することを含み、前記複数のパラメータセットは、一連のパラメータに対して互いに異なる値を有し、前記指示情報は前記複数のパラメータセットに一対一で対応する複数のインデックスのうち、前記パラメータセットに対応するインデックスを含む、信号受信方法が提供される。
【０００９】
本発明の他の様相として、信号を受信するユーザ機器において、無線周波数（ｒａｄｉｏ  ｆｒｅｑｕｅｎｃｙ、ＲＦ）ユニットと、前記ＲＦユニットを制御するように構成されたプロセッサと、を備える、ユーザ機器が提供される。前記プロセッサは、複数のパラメータセットのうちの一つのパラメータセットを示す指示情報を受信するように前記ＲＦユニットを制御することができる。前記プロセッサは、前記指示情報に基づいて、前記複数のパラメータセットのうち、前記パラメータセットに含まれた値を上位層信号の値として設定するように構成されてもよい。前記複数のパラメータセットは、一連のパラメータに対して互いに異なる値を有することができる。前記指示情報は、前記複数のパラメータセットに一対一で対応する複数のインデックスのうち、前記パラメータセットに対応するインデックスを含むことができる。
【００１０】
本発明の更に他の様相として、基地局が信号を送信する方法において、複数のパラメータセットのうち、上位層信号の値に対応するパラメータセットを示す指示情報をユーザ機器に送信することを含み、前記複数のパラメータセットは、一連のパラメータに対して互いに異なる値を有し、前記指示情報は、前記複数のパラメータセットに一対一で対応する複数のインデックスのうち、前記パラメータセットに対応するインデックスを含む、信号送信方法が提供される。
【００１１】
本発明の更に他の様相として、信号を送信する基地局において、無線周波数（ｒａｄｉｏ  ｆｒｅｑｕｅｎｃｙ、ＲＦ）ユニットと、前記ＲＦユニットを制御するように構成されたプロセッサと、を備える、基地局が提供される。前記プロセッサは、複数のパラメータセットのうち、上位層信号の値に対応するパラメータセットを示す指示情報をユーザ機器に送信するように前記ＲＦユニットを制御することができる。前記複数のパラメータセットは、一連のパラメータに対して互いに異なる値を有することができる。前記指示情報は、前記複数のパラメータセットに一対一で対応する複数のインデックスのうち、前記パラメータセットに対応するインデックスを含むことができる。
【００１２】
本発明の各様相において、前記指示情報は、前記上位層信号のパラメータのうち、前記一連のパラメータ以外のパラメータの値をさらに含むことができる。
【００１３】
本発明の各様相において、前記指示情報は、前記一連のパラメータセットのうち、変更されるパラメータを示す情報と前記変更されるパラメータの変更値を示す情報が前記ユーザ機器にさらに送信されてもよい。
【００１４】
本発明の各様相において、前記パラメータセットの値のうち、前記変更されるパラメータに対応する値を前記変更値に変更することをさらに含むことができる。
【００１５】
本発明の各様相において、前記指示情報は、レガシーシステム情報無線ネットワーク臨時識別子（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ、ＳＩ−ＲＮＴＩ）と新しいＳＩ−ＲＮＴＩのうち、前記新しいＳＩ−ＲＮＴＩを用いて、レガシー物理放送チャネル（ｐｈｙｓｉｃａｌ  ｂｒｏａｄｃａｓｔ  ｃｈａｎｎｅｌ、ＰＢＣＨ）と別に設定された新しいＰＢＣＨ又は前記上位層信号のために設定された物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して受信されてもよい。
【００１６】
本発明の更に他の様相として、ユーザ機器が信号を受信する方法において、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号を受信することを含み、前記ユーザ機器が特定モードと設定された場合、前記上位層信号は、レガシーシステム情報無線ネットワーク臨時識別子（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて受信される、信号受信方法が提供される。
【００１７】
本発明の更に他の様相として、信号を受信するユーザ機器において、無線周波数（ｒａｄｉｏ  ｆｒｅｑｕｅｎｃｙ、ＲＦ）ユニットと、前記ＲＦユニットを制御するように構成されたプロセッサと、を備える、ユーザ機器が提供される。前記プロセッサは、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号を受信するように前記ＲＦユニットを制御することができる。前記ユーザ機器が特定モードと設定された場合、前記上位層信号は、レガシーシステム情報無線ネットワーク臨時識別子（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて受信されてもよい。
【００１８】
本発明の更に他の様相として、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号をユーザ機器に送信することを含み、
前記ユーザ機器が特定モードと設定された場合、前記上位層信号は、レガシーシステム情報無線ネットワーク臨時識別子（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて送信される、信号送信方法が提供される。
【００１９】
本発明の更に他の様相として、信号を送信する基地局において、無線周波数（ｒａｄｉｏ  ｆｒｅｑｕｅｎｃｙ、ＲＦ）ユニットと、前記ＲＦユニットを制御するように構成されたプロセッサと、を備える、基地局が提供される。前記プロセッサは、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号をユーザ機器に送信するように前記ＲＦユニットを制御することができる。前記ユーザ機器が特定モードと設定された場合、前記上位層信号はレガシーシステム情報無線ネットワーク臨時識別子（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて送信されてもよい。
【００２０】
本発明の各様相において、前記ＰＤＳＣＨが割り当てられたリソースブロックを示すリソースブロック情報と前記ＰＤＳＣＨのためにバンドルされたサブフレームセットを示すサブフレーム設定情報が前記ユーザ機器にさらに送信されてもよい。
【００２１】
本発明の各様相において、前記上位層信号は、前記リソースブロック情報と前記サブフレーム設定情報に基づいて、前記バンドルされたサブフレームセットに含まれた複数のサブフレームのそれぞれで前記ＰＤＳＣＨを介して前記ユーザ機器に送信されてもよい。
【００２２】
本発明の各様相において、前記プロセッサは、同期信号の受信のための時間期間、物理放送チャネル（ｐｈｙｓｉｃａｌ  ｂｒｏａｄｃａｓｔ  ｃｈａｎｎｅｌ、ＰＢＣＨ）の受信のための時間期間、無線リソース管理（ｒａｄｉｏ  ｒｅｓｏｕｒｃｅ  ｍａｎａｇｅｍｅｎｔ、ＲＲＭ）測定結果、システム情報ブロックの受信のための時間期間の少なくとも１つに基づいて、前記ユーザ機器が前記特定モードと設定されるか否かを判断するように構成されてもよい。
【００２３】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
例えば、本願発明は以下の項目を提供する。
（項目１）
ユーザ機器が信号を受信する方法であって、
複数のパラメータセットのうちの一つのパラメータセットを示す指示情報を受信し、
前記指示情報に基づいて、前記複数のパラメータセットのうち、前記パラメータセットに含まれた値を上位層信号の値として設定することを含み、
前記複数のパラメータセットは、一連のパラメータに対して互いに異なる値を有し、
前記指示情報は、前記複数のパラメータセットに一対一で対応する複数のインデックスのうち、前記パラメータセットに対応するインデックスを含む、信号受信方法。
（項目２）
前記指示情報は、前記上位層信号のパラメータのうち、前記一連のパラメータ以外のパラメータの値をさらに含む、項目１に記載の信号受信方法。
（項目３）
前記指示情報は、前記一連のパラメータセットのうち、変更されるパラメータを示す情報と、該変更されるパラメータの変更値を示す情報をさらに受信し、
前記パラメータセットの値のうち、前記変更されるパラメータに対応する値を前記変更値に変更することをさらに含む、項目１に記載の信号受信方法。
（項目４）
前記指示情報は、レガシーシステム情報無線ネットワーク臨時識別子（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ、ＳＩ−ＲＮＴＩ）と新しいＳＩ−ＲＮＴＩのうち、前記新しいＳＩ−ＲＮＴＩを用いて、レガシー物理放送チャネル（ｐｈｙｓｉｃａｌ  ｂｒｏａｄｃａｓｔ  ｃｈａｎｎｅｌ、ＰＢＣＨ）と別に設定された新しいＰＢＣＨ又は前記上位層信号のために設定された物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して受信される、項目１乃至３のいずれかに記載の信号受信方法。
（項目５）
信号を受信するユーザ機器であって、
無線周波数（ｒａｄｉｏ  ｆｒｅｑｕｅｎｃｙ、ＲＦ）ユニットと、前記ＲＦユニットを制御するように構成されたプロセッサと、を備え、
前記プロセッサは、複数のパラメータセットのうちの一つのパラメータセットを示す指示情報を受信するように前記ＲＦユニットを制御し；前記指示情報に基づいて、前記複数のパラメータセットのうち、前記パラメータセットに含まれた値を上位層信号の値として設定するように構成され、
前記複数のパラメータセットは、一連のパラメータに対して互いに異なる値を有し、
前記指示情報は、前記複数のパラメータセットに一対一で対応する複数のインデックスのうち、前記パラメータセットに対応するインデックスを含む、ユーザ機器。
（項目６）
基地局が信号を送信する方法であって、
複数のパラメータセットのうち、上位層信号の値に対応するパラメータセットを示す指示情報をユーザ機器に送信することを含み、
前記複数のパラメータセットは、一連のパラメータに対して互いに異なる値を有し、
前記指示情報は、前記複数のパラメータセットに一対一で対応する複数のインデックスのうち、前記パラメータセットに対応するインデックスを含む、信号送信方法。
（項目７）
信号を送信する基地局であって、
無線周波数（ｒａｄｉｏ  ｆｒｅｑｕｅｎｃｙ、ＲＦ）ユニットと、前記ＲＦユニットを制御するように構成されたプロセッサと、を備え、
前記プロセッサは、複数のパラメータセットのうち、上位層信号の値に対応するパラメータセットを示す指示情報をユーザ機器に送信するように前記ＲＦユニットを制御し、
前記複数のパラメータセットは、一連のパラメータに対して互いに異なる値を有し、
前記指示情報は、前記複数のパラメータセットに一対一で対応する複数のインデックスのうち、前記パラメータセットに対応するインデックスを含む、基地局。
（項目８）
ユーザ機器が信号を受信する方法であって、
物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号を受信することを含み、
前記ユーザ機器が特定モードと設定された場合、前記上位層信号は、レガシーシステム情報無線ネットワーク臨時識別子（ｓｙｓｔｅｍ  ｉｎｆｏｒｍａｔｉｏｎ  ｒａｄｉｏ
ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて受信される、信号受信方法。
（項目９）
前記ＰＤＳＣＨが割り当てられたリソースブロックを示すリソースブロック情報と、前記ＰＤＳＣＨのためにバンドルされたサブフレームセットを示すサブフレーム設定情報をさらに受信し、
前記上位層信号は、前記リソースブロック情報と前記サブフレーム設定情報に基づいて、前記バンドルされたサブフレームセットに含まれた複数のサブフレームのそれぞれで前記ＰＤＳＣＨを介して受信される、項目８に記載の信号受信方法。
（項目１０）
同期信号の受信のための時間期間、物理放送チャネル（ｐｈｙｓｉｃａｌ  ｂｒｏａｄｃａｓｔ  ｃｈａｎｎｅｌ、ＰＢＣＨ）の受信のための時間期間、無線リソース管理（ｒａｄｉｏ  ｒｅｓｏｕｒｃｅ  ｍａｎａｇｅｍｅｎｔ、ＲＲＭ）測定結果、システム情報ブロックの受信のための時間期間の少なくとも１つに基づいて、前記ユーザ機器が前記特定モードと設定されるか否かを判断することをさらに含む、項目８又は９に記載の信号受信方法。
（項目１１）
信号を受信するユーザ機器であって、
無線周波数（ｒａｄｉｏ  ｆｒｅｑｕｅｎｃｙ、ＲＦ）ユニットと、前記ＲＦユニットを制御するように構成されたプロセッサと、を備え、
前記プロセッサは、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号を受信するように前記ＲＦユニットを制御し、
前記ユーザ機器が特定モードと設定された場合、前記上位層信号は、レガシーシステム情報無線ネットワーク臨時識別子（ｓｙｓｔｅｍ  ｉｎｆｏｒｍａｔｉｏｎ  ｒａｄｉｏ
ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて受信される、ユーザ機器。
（項目１２）
基地局が信号を送信する方法であって、
物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号をユーザ機器に送信することを含み、
前記ユーザ機器が特定モードと設定された場合、前記上位層信号は、レガシーシステム情報無線ネットワーク臨時識別子（ｓｙｓｔｅｍ  ｉｎｆｏｒｍａｔｉｏｎ  ｒａｄｉｏ
ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて送信される、信号送信方法。
（項目１３）
信号を送信する基地局であって、
無線周波数（ｒａｄｉｏ  ｆｒｅｑｕｅｎｃｙ、ＲＦ）ユニットと、前記ＲＦユニットを制御するように構成されたプロセッサと、を備え、
前記プロセッサは、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を介して上位層信号をユーザ機器に送信するように前記ＲＦユニットを制御し、
前記ユーザ機器が特定モードと設定された場合、前記上位層信号は、レガシーシステム情報無線ネットワーク臨時識別子（ｓｙｓｔｅｍ  ｉｎｆｏｒｍａｔｉｏｎ  ｒａｄｉｏ
ｎｅｔｗｏｒｋ  ｔｅｍｐｏｒａｒｙ  ｉｄｅｎｔｉｆｉｅｒ、ＳＩ−ＲＮＴＩ）と前記特定モードのために設定された新しいＳＩ−ＲＮＴＩのうち、前記新しいＳＩ−ＲＮＴＩを用いて送信される、基地局。
【発明の効果】
【００２４】
本発明によれば、上りリンク／下りリンク信号を效率的に送信／受信することができる。これによって、無線通信システムの全体処理量（ｔｈｒｏｕｇｈｐｕｔ）が向上する。
【００２５】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００２６】
本発明に関する理解を助けるために詳細な説明の一部として含まれる添付の図面は、本発明に関する実施例を提供し、詳細な説明と共に本発明の技術的思想を説明する。
【図１】図１は、無線通信システムで用いられる無線フレーム構造の一例を示す図である。
【図２】図２は、無線通信システムで下りリンク／上りリンク（ＤＬ／ＵＬ）スロット構造の一例を示す図である。
【図３】図３は、同期信号（ｓｙｎｃｈｒｏｎｉｚａｔｉｏｎ  ｓｉｇｎａｌ、ＳＳ）の送信のための無線フレーム構造を例示する図である。
【図４】図４は、無線通信システムで用いられる下りリンクサブフレーム（ｓｕｂｆｒａｍｅ）構造を例示する図である。
【図５】図５は、セル特定的参照信号（ｃｅｌｌ  ｓｐｅｃｉｆｉｃ  ｒｅｆｅｒｅｎｃｅ  ｓｉｇｎａｌ、ＣＲＳ）とＵＥ特定的参照信号（ｕｓｅｒ  ｓｐｅｃｉｆｉｃ  ｒｅｆｅｒｅｎｃｅ  ｓｉｇｎａｌ、ＵＥ−ＲＳ）を例示する図である。
【図６】図６は、無線通信システムに用いられる上りリンク（ｕｐｌｉｎｋ、ＵＬ）サブフレーム構造の一例を示す図である。
【図７】図７は、本発明を実行する送信装置１０及び受信装置２０の構成要素を示すブロック図である。
【図８】図８は、物理チャネル処理の概要（ｏｖｅｒｖｉｅｗ）を例示する図である。
【図９】図９は、本発明の一実施例に係るパラメータ縮小のための一方法を例示する図である。
【図１０】図１０は、本発明の一実施例に係るパラメータ縮小のための他の方法を例示する図である。
【図１１】図１１及び図１２は、本発明の一実施例に係るパラメータ縮小のための他の方法を例示する図である。
【図１２】図１１及び図１２は、本発明の一実施例に係るパラメータ縮小のための他の方法を例示する図である。
【図１３】図１３及び図１４は、本発明の一実施例に係る上位層送信方法を例示する図である。
【図１４】図１３及び図１４は、本発明の一実施例に係る上位層送信方法を例示する図である。
【発明を実施するための形態】
【００２７】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２８】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００２９】
以下に説明する技法（ｔｅｃｈｎｉｑｕｅ）及び装置、システムは、様々な無線多元接続システムに適用すことができる。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ  ＬＴＥの進化した形態である。説明の便宜のために、以下では、本発明が３ＧＰＰ  ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａ特有の事項以外は、他の任意の移動通信システムにも適用可能である。
【００３０】
例えば、本発明は、３ＧＰＰ  ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ  ｂａｓｅｄ）通信だけでなく、Ｗｉ−Ｆｉのような競合ベース（ｃｏｎｔｅｎｔｉｏｎ  ｂａｓｅｄ）通信にも適用することができる。非−競合ベース通信技法は、接続ポイント（ａｃｃｅｓｓ  ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ  ｓｅｎｓｅ  ｍｕｌｔｉｐｌｅ  ａｃｃｅｓｓ、ＣＳＭＡ）がある。ＣＳＭＡとは、ノード或いは通信機器が周波数帯域（ｂａｎｄ）のような、共有伝送媒体（ｓｈａｒｅｄ  ｔｒａｎｓｍｉｓｓｉｏｎ  ｍｅｄｉｕｍ）（共有チャネルともいう。）上でトラフィック（ｔｒａｆｆｉｃ）を送信する前に、同一のま共有伝送媒体上に他のトラフィックがないことを確認する確率的（ｐｒｏｂａｂｉｌｉｓｔｉｃ）媒体接続制御（ｍｅｄｉａ  ａｃｃｅｓｓ  ｃｏｎｔｒｏｌ、ＭＡＣ）プロトコル（ｐｒｏｔｏｃｏｌ）を指す。ＣＳＭＡにおいて送信装置は受信装置にトラフィックを送ることを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、“ｓｅｎｓｅ  ｂｅｆｏｒｅ  ｔｒａｎｓｍｉｔ”或いは“ｌｉｓｔｅｎ  ｂｅｆｏｒｅ  ｔａｌｋ”の原理を基盤にした通信技法といえる。ＣＳＭＡを用いる競合ベース通信システムにおいて送信装置間の衝突を回避するための技法としてＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）及び／又はＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）が用いられる。ＣＳＭＡ／ＣＤは、有線ＬＡＮ環境での衝突検出技法であり、イーサネット（登録商標）（ｅｔｈｅｒｎｅｔ）環境で通信をしようとするＰＣ（Ｐｅｒｓｏｎａｌ  Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。すなわち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感���し、自身のデータ送信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００３１】
本発明において、ＵＥは、固定していても移動性を有してもよく、基地局（ｂａｓｅ  ｓｔａｔｉｏｎ、ＢＳ）と通信してユーザデータ及び／又は各種制御情報を送受信する各種機器がこれに属する。ＵＥは、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶことができる。また、本発明において、ＢＳは、一般に、ＵＥ及び／又は他のＢＳと通信する固定局（ｆｉｘｅｄ  ｓｔａｔｉｏｎ）のことをいい、ＵＥ及び他のＢＳと通信して各種データ及び制御情報を交換する。ＢＳは、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、接続ポイント（Ａｃｃｅｓｓ  Ｐｏｉｎｔ）、ＰＳ（Ｐｒｏｃｅｓｓｉｎｇ  Ｓｅｒｖｅｒ）等の他の用語と呼ぶこともできる。以下の本発明に関する説明では、ＢＳをｅＮＢと総称する。
【００３２】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）とすることもできる。ＲＲＨ、ＲＲＵなどは、一般に、ｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ  ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。多重ノードシステムにおいて、複数のノードへの／からの信号送信／受信には、同一のセル識別子（ｉｄｅｎｔｉｔｙ、ＩＤ）を用いてもよく、互いに異なるセル識別子を用いてもよい。複数のノードが同一のセルＩＤを有する場合、上記複数のノードのそれぞれは、１つのセルの一部アンテナ集団のように動作する。多重ノードシステムでノードが互いに異なるセルＩＤを有すると、このような多重ノードシステムは、多重セル（例えば、マクロセル／フェムトセル／ピコセル）システムと見なすことができる。複数のノードのそれぞれが形成した多重セルがカバレッジによってオーバーレイ（ｏｖｅｒｌａｙ）する形態で構成されると、上記多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一でもよく、異なってもよい。ＲＲＨ／ＲＲＵがｅＮＢと異なるセルＩＤを用いる場合、ＲＲＨ／ＲＲＵとｅＮＢはいずれも独立した基地局として動作する。
【００３３】
多重ノードシステムにおいて、複数のノードと接続された１つ以上のｅＮＢ或いはｅＮＢコントローラが上記複数のノードの一部又は全てを通じてＵＥに同時に信号を送信或いは受信するように上記複数のノードを制御することができる。各ノードの実体、各ノードの具現形態などによって多重ノードシステム間には相違点が存在するが、複数のノードが共に所定時間−周波数リソース上でＵＥに通信サービスを提供することに参加するという点で、それらの多重ノードシステムは単一ノードシステム（例えば、ＣＡＳ、従来のＭＩＭＯシステム、従来の中継システム、従来のリピータシステムなど）と相違する。したがって、複数のノードの一部又は全てを用いてデータ協調送信を行う方法に関する本発明の実施例は、各種の多重ノードシステムに適用することができる。例えば、ノードは、通常、他のノードと一定間隔以上離れて位置しているアンテナグループを指すが、後述する本発明の実施例は、ノードが間隔に関係なく任意のアンテナグループを意味する場合にも適用することができる。例えば、Ｘ−ｐｏｌ（Ｃｒｏｓｓ  ｐｏｌａｒｉｚｅｄ）アンテナを具備したｅＮＢの場合、該ｅＮＢがＨ−ｐｏｌアンテナで構成された（ｃｏｎｆｉｇｕｒｅｄ）ノードとＶ−ｐｏｌアンテナで構成されたノードを制御するとして、本発明の実施例を適用することができる。
【００３４】
複数の送信（Ｔｘ）／受信（Ｒｘ）ノードを通じて信号を送信／受信したり、複数の送信／受信ノードの中から選択された少なくとも１つのノードを通じて信号を送信／受信したり、下りリンク信号を送信するノードと上りリンク信号を受信するノードを別々にさせ得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、大きく、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者は、ＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別でき、後者は、ＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）とも呼ばれる。他の協調通信技法に比べて、ノード間協調通信技法のうちＪＰが行われるとき、より様々な通信環境が形成されうる。ＪＰのうち、ＪＴは、複数のノードが同一のストリームをＵＥに送信する通信技法をいい、ＪＲは、複数のノードが同一のストリームをＵＥから受信する通信技法をいう。上記ＵＥ／ｅＮＢは、上記複数のノードから受信した信号を合成して上記ストリームを復元する。ＪＴ／ＪＲの場合、同一のストリームが複数のノードから／に送信されるため、送信ダイバーシティ（ｄｉｖｅｒｓｉｔｙ）によって信号送信の信頼度を向上させることができる。ＪＰのうち、ＤＰＳは、複数のノードのうち、特定規則によって選択されたことノードを通じて信号が送信／受信される通信技法をいう。ＤＰＳの場合、通常、ＵＥとノード間のチャネル状態の良いノードが通信ノードとして選択されるため、信号送信の信頼度を向上させることができる。
【００３５】
本発明でいうセル（ｃｅｌｌ）とは、１つ以上のノードが通信サービスを提供する一定の地理的領域を指す。したがって、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ  ｃｅｌｌ）という。また、特定セルのチャネル状態／品質は、上記特定セルに通信サービスを提供するｅＮＢ或いはノードとＵＥ間に形成されたチャネル或いは通信リンクのチャネル状態／品質を意味する。ＬＴＥ／ＬＴＥ−Ａベースのシステムで、ＵＥは、特定ノードからの下りリンクチャネル状態を、上記特定ノードのアンテナポートが上記特定ノードに割り当てられたＣＲＳ（Ｃｅｌｌ−ｓｐｅｃｉｆｉｃ  Ｒｅｆｅｒｅｎｃｅ  Ｓｉｇｎａｌ）リソース上で送信されるＣＲＳ及び／又はＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳ（上げる）を用いて測定することができる。一方、３ＧＰＰ  ＬＴＥ／ＬＴＥ−Ａシステムは、無線リソースを管理するためにセル（ｃｅｌｌ）の概念を用いているが、無線リソースと関連付くセル（ｃｅｌｌ）は、地理的領域のセル（ｃｅｌｌ）と区別される。
【００３６】
近年、無線通信システムでは、より広い周波数帯域を用いるために複数のＵＬ及び／又はＤＬ周波数ブロックを集めてより大きいＵＬ／ＤＬ帯域幅を用いる搬送波集約（ｃａｒｒｉｅｒ  ａｇｇｒｅｇａｔｉｏｎ又はｂａｎｄｗｉｄｔｈ  ａｇｇｒｅｇａｔｉｏｎ）技術の導入が論議されている。搬送波集約（ｃａｒｒｉｅｒ  ａｇｇｒｅｇａｔｉｏｎ、ＣＡ）は、複数の搬送波周波数を用いてＤＬ或いはＵＬ通信を行うという点で、複数の直交する副搬送波に分割された基本周波数帯域を１つの搬送波周波数に乗せてＤＬ或いはＵＬ通信を行うＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）システムと区別される。以下、搬送波集約によって集約される搬送波のそれぞれをコンポーネント搬送波（ｃｏｍｐｏｎｅｎｔ  ｃａｒｒｉｅｒ、ＣＣ）と称する。無線リソースと関連付く“セル”とは、下りリンクリソース（ＤＬ  ｒｅｓｏｕｒｃｅｓ）と上りリンクリソース（ＵＬ  ｒｅｓｏｕｒｃｅｓ）との組合せ、すなわち、ＤＬ  ＣＣとＵＬ  ＣＣの組合せと定義される。セルは、ＤＬリソース単独、又はＤＬリソースとＵＬリソースとの組合せで設定する（ｃｏｎｆｉｇｕｒｅ）ことができる。搬送波集約が支援される場合、ＤＬリソース（又は、ＤＬ  ＣＣ）の搬送波周波数（ｃａｒｒｉｅｒ  ｆｒｅｑｕｅｎｃｙ）とＵＬリソース（又は、ＵＬ  ＣＣ）の搬送波周波数（ｃａｒｒｉｅｒ  ｆｒｅｑｕｅｎｃｙ）間のリンケージ（ｌｉｎｋａｇｅ）をシステム情報によって示することができる。ここで、搬送波周波数とは、各セル或いはＣＣの中心周波数（ｃｅｎｔｅｒ  ｆｒｅｑｕｅｎｃｙ）を意味する。以下では、１次周波数（ｐｒｉｍａｒｙ  ｆｒｅｑｕｅｎｃｙ）上で動作するセルを１次セル（ｐｒｉｍａｒｙ  ｃｅｌｌ、Ｐｃｅｌｌ）或いはＰＣＣと呼び、２次周波数（Ｓｅｃｏｎｄａｒｙ  ｆｒｅｑｕｅｎｃｙ）（又は、ＳＣＣ）上で動作するセルを２次セル（ｓｅｃｏｎｄａｒｙ  ｃｅｌｌ、Ｓｃｅｌｌ）或いはＳＣＣと呼ぶ。Ｓｃｅｌｌとは、ＲＲＣ（Ｒａｄｉｏ  Ｒｅｓｏｕｒｃｅ  Ｃｏｎｔｒｏｌ）接続開設（ｃｏｎｎｅｃｔｉｏｎ  ｅｓｔａｂｌｉｓｈｍｅｎｔ）がなされた後に設定可能であり、追加的な無線リソースの提供のために用い得るセルを意味する。ＵＥの性能（ｃａｐａｂｉｌｉｔｉｅｓ）によって、ＳｃｅｌｌがＰｃｅｌｌと共に、上記ＵＥのためのサービングセルの集合（ｓｅｔ）を形成することができる。ＲＲＣ＿接続（ＲＲＣ＿ｃｏｎｎｅｃｔｅｄ）状態にあるが、搬送波集約が設定されていないか、又は搬送波集約を支援しないＵＥの場合、Ｐｃｅｌｌのみで設定されたサービングセルが１つのみ存在する。
【００３７】
地理的領域の“セル”は、ノードが搬送波を用いてサービスを提供できるカバレッジ（ｃｏｖｅｒａｇｅ）と理解することができ、無線リソースの“セル”は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。したがって、“セル”という用語は、時にはノードによるサービスのカバレッジを、時には無線リソースを、時には上記無線リソースを用いた信号が有効な強度で到達できる範囲を意味することに用いることができる。
【００３８】
３ＧＰＰ  ＬＴＥ／ＬＴＥ−Ａ標準は、上位層から生じる情報を運ぶリソース要素に対応する下りリンク物理チャネルと、物理層によって用いられるが、上位層から生じる情報を搬送しないリソース要素に対応する下りリンク物理信号を定義する。例えば、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、物理ブロードキャストチャネル（ｐｈｙｓｉｃａｌ  ｂｒｏａｄｃａｓｔ  ｃｈａｎｎｅｌ、ＰＢＣＨ）、物理マルチキャストチャネル（ｐｈｙｓｉｃａｌ  ｍｕｌｔｉｃａｓｔ  ｃｈａｎｎｅｌ、ＰＭＣＨ）、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）、物理下りリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）及び物理ハイブリッドＡＲＱ指示子チャネル（ｐｈｙｓｉｃａｌ  ｈｙｂｒｉｄ  ＡＲＱ  ｉｎｄｉｃａｔｏｒ  ｃｈａｎｎｅｌ、ＰＨＩＣＨ）が下りリンク物理チャネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ、ＲＳ）は、ｅＮＢとＵＥが互いに知っている既に定義された特別な波形の信号を意味するが、例えば、セル特定的ＲＳ（ｃｅｌｌ  ｓｐｅｃｉｆｉｃ  ＲＳ）、ＵＥ−特定的ＲＳ（ＵＥ−ｓｐｅｃｉｆｉｃ  ＲＳ、ＵＥ−ＲＳ）、ポジショニングＲＳ（ｐｏｓｉｔｉｏｎｉｎｇ  ＲＳ、ＰＲＳ）及びチャネル状態情報ＲＳ（ｃｈａｎｎｅｌ  ｓｔａｔｅ  ｉｎｆｏｒｍａｔｉｏｎ  ＲＳ、ＣＳＩ−ＲＳ）が下りリンク参照信号として定義される。３ＧＰＰ  ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号を定義している。例えば、物理上りリンク共有チャネル（ｐｈｙｓｉｃａｌ  ｕｐｌｉｎｋ  ｓｈａｒｅｄ  ｃｈａｎｎｅｌ、ＰＵＳＣＨ）、物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、物理任意接続チャネル（ｐｈｙｓｉｃａｌ  ｒａｎｄｏｍ  ａｃｃｅｓｓ  ｃｈａｎｎｅｌ、ＰＲＡＣＨ）が上りリンク物理チャネルとして定義され、上りリンク制御／データ信号のための復調参照信号（ｄｅｍｏｄｕｌａｔｉｏｎ  ｒｅｆｅｒｅｎｃｅ  ｓｉｇｎａｌ、ＤＭＲＳ）と上りリンクチャネル測定に用いられるサウンディング参照信号（ｓｏｕｎｄｉｎｇ  ｒｅｆｅｒｅｎｃｅ  ｓｉｇｎａｌ、ＳＲＳ）が定義される。
【００３９】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを搬送する時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／任意接続信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（ｒｅｓｏｕｒｃｅ  ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／任意接続信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００４０】
また、本発明で、ＰＢＣＨ／（ｅ）ＰＤＣＣＨ／ＰＤＳＣＨ／ＰＵＣＣＨ／ＰＵＳＣＨ領域は、ＰＢＣＨ／（ｅ）ＰＤＣＣＨ／ＰＤＳＣＨ／ＰＵＣＣＨ／ＰＵＳＣＨがマップされた或いはマップされ得る時間−周波数リソース領域をいう。
【００４１】
以下では、ＣＲＳ／ＤＭＲＳ／ＣＳＩ−ＲＳ／ＳＲＳ／ＵＥ−ＲＳ／ＴＲＳが割り当てられた或いは設定された（ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳ／ＴＲＳシンボル／搬送波／副搬送波／ＲＥと称する。例えば、トラッキングＲＳ（ｔｒａｃｋｉｎｇ  ＲＳ、ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００４２】
本発明で、ＣＲＳポート、ＤＭＲＳポート、ＵＥ−ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＤＭＲＳを送信するように設定されたアンテナポート、ＵＥ−ＲＳを送信するように設定されたアンテナポート、ＵＥ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。したがって、ＣＲＳ／ＤＭＲＳ／ＵＥ−ＲＳ／ＣＳＩ−ＲＳ／ＴＲＳポートという用語が、一定リソース領域（例、ＲＢ或いはＲＢ対）内でＣＲＳ／ＤＭＲＳ／ＵＥ−ＲＳ／ＣＳＩ−ＲＳ／ＴＲＳが占有するＲＥのパターンを意味する用語として用いられることもある。本発明でＤＭＲＳとＵＥ−ＲＳはいずれも復調用ＲＳを意味し、よって、ＤＭＲＳという用語とＵＥ−ＲＳという用語はいずれも復調用ＲＳを指すために用いられる。
【００４３】
図１は、無線通信システムで用いられる無線フレーム構造の一例を示す図である。
【００４４】
特に、図１（ａ）は、３ＧＰＰ  ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示す図であり、図１（ｂ）は、３ＧＰＰ  ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示す図である。
【００４５】
図１を参照すると、３ＧＰＰ  ＬＴＥ／ＬＴＥ−Ａシステムで用いられる無線フレームは、１０ｍｓ（３０７，２００Ｔｓ）の長さを有し、１０個の均等な大きさのサブフレーム（ｓｕｂｆｒａｍｅ、ＳＦ）で構成される。１無線フレーム内の１０個のサブフレームにはそれぞれ番号を与えることができる。ここで、Ｔｓは、サンプリング時間を表し、Ｔｓ＝１／（２０４８・１５ｋＨｚ）で表示される。それぞれのサブフレームは１ｍｓの長さを有し、２個のスロットで構成される。１無線フレームにおいて２０個のスロットには０から１９まで順次に番号を付けることができる。それぞれのスロットは、０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームであるデックスとも咸）、サブフレーム番号（或いは、サブフレーム番号）、スロット番号（或いは、スロットインデックス）などによって区分することができる。
【００４６】
無線フレームは、デュプレックス（ｄｕｐｌｅｘ）モードによって異なるように設定（ｃｏｎｆｉｇｕｒｅ）することができる。例えば、ＦＤＤモードで、下りリンク送信及び上りリンク送信は周波数によって区分されるため、無線フレームは、特定周波数帯域に対して下りリンクサブフレーム又は上りリンクサブフレームのいずれか１つのみを含む。ＴＤＤモードで、下りリンク送信及び上りリンク送信は、時間によって区分されるため、特定周波数帯域に対して無線フレームは下りリンクサブフレームと上りリンクサブフレームの両方を含む。
【００４７】
表１は、ＴＤＤモードで、無線フレームにおけるサブフレームのＤＬ−ＵＬ設定（ｃｏｎｆｉｇｕｒａｔｉｏｎ）を例示するものである。
【００４８】
【表１】
0006284951.tif 000002
【００４９】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信用に留保される時間区間であり、ＵｐＰＴＳは、上りリンク送信用に留保される時間区間である。表２は、特異サブフレームの設定（ｃｏｎｆｉｇｕｒａｔｉｏｎ）を例示するものである。
【００５０】
【表２】
0006284951.tif 000003
【００５１】
図２は、無線通信システムにおいて下りリンク／上りリンク（ＤＬ／ＵＬ）スロット構造の一例を示す図である。特に、図２は、３ＧＰＰ  ＬＴＥ／ＬＴＥ−Ａシステムのリソース格子（ｒｅｓｏｕｒｃｅ  ｇｒｉｄ）の構造を示す。アンテナポート当たり１個のリソース格子がある。
【００５２】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味してもよい。図２を参照すると、各スロットで送信される信号はＮＤＬ／ＵＬＲＢ×ＮＲＢｓｃ個の副搬送波（ｓｕｂｃａｒｒｉｅｒ）とＮＤＬ／ＵＬｓｙｍｂ個のＯＦＤＭシンボルとで構成されるリソース格子（ｒｅｓｏｕｒｃｅ  ｇｒｉｄ）で表現されることができる。ここで、ＮＤＬＲＢは、下りリンクスロットにおけるリソースブロック（ｒｅｓｏｕｒｃｅ  ｂｌｏｃｋ、ＲＢ）の個数を表し、ＮＵＬＲＢは、ＵＬスロットにおけるＲＢの個数を表す。ＮＤＬＲＢとＮＵＬＲＢは、ＤＬ送信帯域幅とＵＬ送信帯域幅にそれぞれ依存する。ＮＤＬｓｙｍｂは、下りリンクスロットにおけるＯＦＤＭシンボルの個数を表し、ＮＵＬｓｙｍｂは、ＵＬスロットにおけるＯＦＤＭシンボルの個数を表す。ＮＲＢｓｃは、１  ＲＢを構成する副搬送波の個数を表す。
【００５３】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１スロットに含まれるＯＦＤＭシンボルの数は、チャネル帯域幅、ＣＰ（ｃｙｃｌｉｃ  ｐｒｅｆｉｘ）の長さによって様々に変更することができる。例えば、正規（ｎｏｒｍａｌ）ＣＰの場合には、１スロットが７  ＯＦＤＭシンボルを含むが、拡張（ｅｘｔｅｎｄｅｄ）ＣＰの場合には、１スロットが６  ＯＦＤＭシンボルを含む。図２では、説明の便宜のために、１スロットが７  ＯＦＤＭシンボルで構成されるサブフレームを例示するが、本発明の実施例は、他の個数のＯＦＤＭシンボルを有するサブフレームにも同様の方式で適用することができる。図２を参照すると、各ＯＦＤＭシンボルは、周波数ドメインで、ＮＤＬ／ＵＬＲＢ×ＮＲＢｓｃ個の副搬送波を含む。副搬送波の類型としては、データ送信のためのデータ副搬送波、参照信号（ｒｅｆｅｒｅｎｃｅ  ｓｉｇｎａｌ）の送信のための参照信号副搬送波、保護バンド（ｇｕａｒｄ  ｂａｎｄ）又は直流（Ｄｉｒｅｃｔ  Ｃｕｒｒｅｎｔ、ＤＣ）成分のためのヌル（ｎｕｌｌ）副搬送波を含むことができる。ＤＣ成分は、ＯＦＤＭ信号生成過程或いは周波数アップコンバート過程で搬送波周波数（ｃａｒｒｉｅｒ  ｆｒｅｑｕｅｎｃｙ、ｆ０）にマップ（ｍａｐｐｉｎｇ）される。搬送波周波数は、中心周波数（ｃｅｎｔｅｒ  ｆｒｅｑｕｅｎｃｙ、ｆｃ）とも呼ぶ。
【００５４】
１  ＲＢは、時間ドメインでＮＤＬ／ＵＬｓｙｍｂ個（例えば、７個）の連続するＯＦＤＭシンボルと定義され、周波数ドメインでＮＲＢｓｃ個（例えば、１２個）の連続する副搬送波と定義される。参考として、１  ＯＦＤＭシンボルと１副搬送波で定義されたリソースをリソース要素（ｒｅｓｏｕｒｃｅ  ｅｌｅｍｅｎｔ、ＲＥ）或いはトーン（ｔｏｎｅ）という。したがって、１  ＲＢは、ＮＤＬ／ＵＬｓｙｍｂ×ＮＲＢｓｃ個のリソース要素で構成される。リソース格子内の各リソース要素は、１スロットにおけるインデックス対（ｋ，１）によって固有に定義することができる。ｋは、周波数ドメインで０からＮＤＬ／ＵＬＲＢ×ＮＲＢｓｃ−１まで与えられるインデックスであり、ｌは、時間ドメインで０からＮＤＬ／ＵＬｓｙｍｂ−１まで与えられるインデックスである。
【００５５】
一方、１  ＲＢは、物理リソースブロック（ｐｈｙｓｉｃａｌ  ｒｅｓｏｕｒｃｅ  ｂｌｏｃｋ、ＰＲＢ）と１仮想リソースブロック（ｖｉｒｔｕａｌ  ｒｅｓｏｕｒｃｅ  ｂｌｏｃｋ、ＶＲＢ）にそれぞれマップされる。ＰＲＢは、時間ドメインでＮＤＬ／ＵＬｓｙｍｂ個（例えば、７個）の連続するＯＦＤＭシンボル或いはＳＣ−ＦＤＭシンボルと定義され、周波数ドメインでＮＲＢｓｃ個（例えば、１２個）の連続する副搬送波と定義される。したがって、１  ＰＲＢは、ＮＤＬ／ＵＬｓｙｍｂ×ＮＲＢｓｃ個のリソース要素で構成される。１サブフレームでＮＲＢｓｃ個の連続する同一の副搬送波を占有しながら、上記サブフレームの２個のスロットそれぞれに１個ずつ位置する２個のＲＢを、ＰＲＢ対と呼ぶ。ＰＲＢ対を構成する２個のＲＢは、同一のＰＲＢ番号（或いは、ＰＲＢインデックスともいう）を有する。
【００５６】
図３は、同期信号（ｓｙｎｃｈｒｏｎｉｚａｔｉｏｎ  ｓｉｇｎａｌ、ＳＳ）の送信のための無線フレーム構造を例示する図である。特に、図３は、周波数分割デュプレックス（ｆｒｅｑｕｅｎｃｙ  ｄｉｖｉｓｉｏｎ  ｄｕｐｌｅｘ、ＦＤＤ）で同期信号及びＰＢＣＨの送信のための無線フレーム構造を例示するものであり、図３（ａ）は、正規ＣＰ（ｎｏｒｍａｌ  ｃｙｃｌｉｃ  ｐｒｅｆｉｘ）として構成された無線フレームでＳＳ及びＰＢＣＨの送信位置を示し、図３（ｂ）は、拡張ＣＰ（ｅｘｔｅｎｄｅｄ  ＣＰ）として構成された無線フレームでＳＳ及びＰＢＣＨの送信位置を示している。
【００５７】
ＵＥは、電源がついたり新しくセルに接続しようとする場合、上記セルとの時間及び周波数同期を取得し、上記セルの物理層セル識別子（ｐｈｙｓｉｃａｌ  ｌａｙｅｒ  ｃｅｌｌ  ｉｄｅｎｔｉｔｙ）ＮｃｅｌｌＩＤを検出（ｄｅｔｅｃｔ）する等のセル探索（ｉｎｉｔｉａｌ  ｃｅｌｌ  ｓｅａｒｃｈ）過程（ｐｒｏｃｅｄｕｒｅ）を行う。そのために、ＵＥは、ｅＮＢから同期信号、例えば、１次同期信号（Ｐｒｉｍａｒｙ  Ｓｙｎｃｈｒｏｎｉｚａｔｉｏｎ  Ｓｉｇｎａｌ、ＰＳＳ）及び２次同期信号（Ｓｅｃｏｎｄａｒｙ  Ｓｙｎｃｈｒｏｎｉｚａｔｉｏｎ  Ｓｉｇｎａｌ、ＳＳＳ）を受信してｅＮＢと同期を取り、セル識別子（ｉｄｅｎｔｉｔｙ、ＩＤ）などの情報を取得することができる。
【００５８】
図３を参照して、ＳＳをより具体的に説明すると、次のとおりである。ＳＳは、ＰＳＳとＳＳＳとに区別される。ＰＳＳは、ＯＦＤＭシンボル同期、スロット同期などの時間ドメイン同期及び／又は周波数ドメイン同期を得るために用いられ、ＳＳＳは、フレーム同期、セルグループＩＤ及び／又はセルのＣＰ設定（ｃｏｎｆｉｇｕｒａｔｉｏｎ）（すなわち、正規ＣＰ又は拡張ＣＰの使用情報）を得るために用いられる。図３を参照すると、ＰＳＳとＳＳＳは、毎無線フレームの２個のＯＦＤＭシンボルでそれぞれ送信される。具体的に、ＳＳは、インター−ＲＡＴ（ｉｎｔｅｒ  ｒａｄｉｏ  ａｃｃｅｓｓ  ｔｅｃｈｎｏｌｏｇｙ）測定の容易さのために、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）フレーム長である４．６ｍｓを考慮して、サブフレーム０の第１のスロットとサブフレーム５の第１のスロットでそれぞれ送信される。特に、ＰＳＳは、サブフレーム０の第１のスロットの最後のＯＦＤＭシンボルとサブフレーム５の第１のスロットの最後のＯＦＤＭシンボルでそれぞれ送信され、ＳＳＳは、サブフレーム０の第１のスロットの最後から２番目のＯＦＤＭシンボルとサブフレーム５の第１のスロットの最後から２番目のＯＦＤＭシンボルでそれぞれ送信される。該当の無線フレームの境界はＳＳＳを用いて検出することができる。ＰＳＳは、該当スロットの最後のＯＦＤＭシンボルで送信され、ＳＳＳはＰＳＳの直前ＯＦＤＭシンボルで送信される。ＳＳの送信ダイバーシティ（ｄｉｖｅｒｓｉｔｙ）方式は、単一アンテナポート（ｓｉｎｇｌｅ  ａｎｔｅｎｎａ  ｐｏｒｔ）のみを使用し、標準では別に定義していない。すなわち、単一アンテナポート送信或いはＵＥに透明な（ｔｒａｎｓｐａｒｅｎｔ）送信方式（例、ＰＶＳ（Ｐｒｅｃｏｄｉｎｇ  Ｖｅｃｔｏｒ  Ｓｗｉｔｃｈｉｎｇ）、ＴＳＴＤ（Ｔｉｍｅ  Ｓｗｉｔｃｈｅｄ  Ｄｉｖｅｒｓｉｔｙ）、ＣＤＤ（ｃｙｃｌｉｃ  ｄｅｌａｙ  ｄｉｖｅｒｓｉｔｙ））をＳＳの送信ダイバーシティのために用いることができる。
【００５９】
ＳＳは、３個のＰＳＳと１６８個のＳＳＳの組合せによって総５０４個の固有の物理層セル識別子（ｐｈｙｓｉｃａｌ  ｌａｙｅｒ  ｃｅｌｌ  ＩＤ）を示すことができる。換言すれば、上記物理層セルＩＤは、各物理層セルＩＤが１つの物理層セル−識別子グループの部分になるように、各グループが３個の固有の識別子を含む１６８個の物理層セル−識別子グループにグルーピングされる。したがって、物理層セル識別子ＮｃｅｌｌＩＤ＝３Ｎ（１）ＩＤ＋Ｎ（２）ＩＤは、物理層セル−識別子グループを示す０から１６７までの範囲内の番号Ｎ（１）ＩＤと上記物理層セル−識別子グループ内の上記物理層識別子を示す０から２までの番号Ｎ（２）ＩＤによって固有に定義される。ＵＥは、ＰＳＳを検出して、３個の固有の物理層識別子のうちの１つがわかり、ＳＳＳを検出して、上記物理層識別子に関連した１６８個の物理層セルＩＤのうちの１つを識別することができる。長さ６３のＺＣ（Ｚａｄｏｆｆ−Ｃｈｕ）シーケンスが周波数ドメインで定義されてＰＳＳとして用いられる。例えば、ＺＣシーケンスは、次の式によって定義することができる。
【００６０】
【数１】
0006284951.tif 000004
【００６１】
ここで、ＮＺＣ＝６３であり、ＤＣ副搬送波に該当するシーケンス要素（ｓｅｑｕｅｎｃｅ  ｅｌｅｍｅｎｔ）であるｎ＝３１は穿孔（ｐｕｎｃｔｕｒｉｎｇ）される。
【００６２】
ＰＳＳは、中心周波数に近い６個ＲＢ（＝７２個副搬送波）にマップされる。これらの７２個の副搬送波のうち、９個の残る副搬送波は、常に０の値を搬送し、これは、同期実行のためのフィルター設計が容易とる要素として作用する。総３個のＰＳＳが定義されるために、式１でｕ＝２４，２９及び３４が用いられる。ｕ＝２４及びｕ＝３４が共役対称（ｃｏｎｊｕｇａｔｅ  ｓｙｍｍｅｔｒｙ）関係を有しているため、２個の相関（ｃｏｒｒｅｌａｔｉｏｎ）が同時に行われてもよい。ここで、共役対称は、次の式の関係を意味する。
【００６３】
【数２】
0006284951.tif 000005
【００６４】
共役対称の特性を用いると、ｕ＝２９及びｕ＝３４に対するワンショット相関器（ｏｎｅ−ｓｈｏｔ  ｃｏｒｒｅｌａｔｏｒ）を具現することができ、共役対称のない場合に比べて、全体的な演算量を約３３．３％減少させることができる。
【００６５】
さらにいうと、ＰＳＳのために用いられるシーケンスｄ（ｎ）は、周波数ドメインＺＣシーケンスから次の式によって生成される。
【００６６】
【数３】
0006284951.tif 000006
【００６７】
ここで、ＺＣルートシーケンスインデックスｕは、次の表によって与えられる。
【００６８】
【表３】
0006284951.tif 000007
【００６９】
図３を参照すると、ＰＳＳは、５ｍｓごとに送信されるため、ＵＥは、ＰＳＳを検出することによって、当該サブフレームがサブフレーム０又はサブフレーム５のいずれかであることがわかるが、当該サブフレームがサブフレーム０とサブフレーム５のうちのいずれであるかは具体的にわからない。したがって、ＵＥは、ＰＳＳだけでは無線フレームの境界を認知できない。すなわち、ＰＳＳだけではフレーム同期を取ることができない。ＵＥは、無線フレーム内で２回送信されるものの、互いに異なったシーケンスで送信されるＳＳＳを検出して無線フレームの境界を検出する。
【００７０】
このように、セル探索／再探索のために、ＵＥは、ｅＮＢからＰＳＳ及びＳＳＳを受信してｅＮＢと同期を取り、セル識別子（ｉｄｅｎｔｉｔｙ、ＩＤ）などの情報を取得することができる。その後、ＵＥは、ＰＢＣＨ上でｅＮＢによって管理されるセル（ｃｅｌｌ）内の放送情報を受信することができる。
【００７１】
ＰＢＣＨのメッセージ内容は、無線リソース制御（ｒａｄｉｏ  ｒｅｓｏｕｒｃｅ  ｃｏｎｔｒｏｌ、ＲＲＣ）層でマスター情報ブロック（ｍａｓｔｅｒ  ｉｎｆｏｒｍａｔｉｏｎ  ｂｌｏｃｋ、ＭＩＢ）で表現される。具体的に、ＰＢＣＨのメッセージ内容は、表４のとおりである。
【００７２】
【表４】
0006284951.tif 000008
【００７３】
表４のように、ＭＩＢには、下りリンクシステム帯域幅（ｄｌ−Ｂａｎｄｗｉｄｔｈ、ＤＬ  ＢＷ）、ＰＨＩＣＨ設定、システムフレームナンバー（ＳＦＮ）が含まれる。例えば、ＭＩＢのパラメータのうち、パラメータｄｌ−帯域幅は、下りリンクにおけるＲＢの個数ＮＲＢを示すパラメータであり、ｎ６は６個のＲＢに対応、ｎ１５は１５個ＲＢに対応する形で下りリンクシステム帯域幅を示すことができる。ＭＩＢのパラメータのうち、パラメータシステムフレーム番号（ｓｙｔｅｍＦｒａｍｅＮｕｍｂｅｒ）は、ＳＦＮの８個の最上位ビット（ｍｏｓｔ  ｓｉｇｎｉｆｉｃａｎｔ  ｂｉｔｓ）を定義する。上記ＳＦＮの２個の最下位ビット（ｌｅａｓｔ  ｓｉｇｎｉｆｉｃａｎｔ  ｂｉｔｓ）は、ＰＢＣＨの復号によって暗黙的に得ることができる。４０ｍｓ  ＰＢＣＨ  ＴＴＩのタイミングは、２個の最下位ビットを示すが、例えば、４０ｍｓ  ＰＢＣＨ  ＴＴＩにおいて、１番目の無線フレームは００を、２番目の無線フレームは０１を、３番目の無線フレームは１０を、最後の無線フレームは１１を示す。したがって、ＵＥは、ＰＢＣＨを介してＭＩＢを受信することによって明示的（ｅｘｐｌｉｃｉｔ）にＤＬ  ＢＷ、ＳＦＮ、ＰＨＩＣＨ設定に関する情報がわかる。一方、ＰＢＣＨ受信からＵＥが暗黙的（ｉｍｐｌｉｃｉｔ）にわかる情報には、ｅＮＢの送信アンテナ個数（ｎｕｍｂｅｒ  ｏｆ  ｔｒａｎｓｍｉｔ  ａｎｔｅｎｎａ  ｐｏｒｔｓ  ａｔ  ｅＮＢ）がある。ｅＮＢの送信アンテナ個数に関する情報は、ＰＢＣＨのエラー検出に用いられる１６−ビットＣＲＣ（Ｃｙｃｌｉｃ  Ｒｅｄｕｎｄａｎｃｙ  Ｃｈｅｃｋ）に送信アンテナ個数に対応するシーケンスをマスク（例、ＸＯＲ演算）して暗黙的にシグナルされる。例えば、次のようなアンテナ個数別マスキングシーケンスを用いることができる。
【００７４】
【表５】
0006284951.tif 000009
【００７５】
ＰＢＣＨは、セル−特定的（ｃｅｌｌ−ｓｐｅｃｉｆｉｃ）スクランブリング、変調、レイヤマッピングとプリコーディングを経た後、リソース要素にマップされる。
【００７６】
図３は、１つの無線フレームを基準とした時のマッピング例であり、コーディングされたＰＢＣＨは、事実上、４０ｍｓの間に４個のサブフレームにマップされる。４０ｍｓタイミングは、ブラインド検出されるものであり、４０ｍｓタイミングに関する明示的なシグナリングは別に存在しない。ＰＢＣＨは、１サブフレームにおいて４個のＯＦＤＭシンボルと７２個の副搬送波にマップされる。ＰＢＣＨは、ｅＮＢの実際送信アンテナ個数に関係なく、４個の送信アンテナに対するＲＳの位置したＲＥにはマップされない。参考として、図１（ｂ）に示す、ＴＤＤに適用されるフレーム構造の場合にも、ＰＢＣＨは４０ｍｓの間に、４個のサブフレームにマップされ、１サブフレームにおいて４個のＯＦＤＭシンボルと７２個の副搬送波にマップされる。ＴＤＤの場合、ＰＢＣＨは、無線フレームのスロット０〜１９のうち、スロット１（サブフレーム０の第２のスロット）とスロット１１（サブフレーム５の第２のスロット）のＯＦＤＭシンボル０〜３に位置することができる。
【００７７】
一方、ｅＮＢ或いはセルに最初に接続したり、ｅＮＢ或いはセルへの信号送信のために割り当てられた無線リソースがないＵＥは、任意接続過程（ｒａｎｄｏｍ  ａｃｃｅｓｓ  ｐｒｏｃｅｄｕｒｅ）を行うことができる。任意接続過程のために、ＵＥは、ＰＲＡＣＨを介して特定シーケンスを任意接続プリアンブルとして送信し、ＰＤＣＣＨ及び／又はこれに対応するＰＤＳＣＨを介して上記任意接続プリアンブルに対する応答メッセージを受信することによって、信号送信に必要な無線リソースの割当てを受けることができる。任意接続過程でＵＥにＵＥ識別子を設定することができる。例えば、セル無線ネットワーク臨時識別子（ｃｅｌｌ  ｒａｄｉｏ  ｎｅｔｗｏｒｋ  ｔｅｍｐｏｒａｒｙ  ｉｄｅｎｔｉｆｉｅｒ、Ｃ−ＲＮＴＩ）は、セル内でＵＥを識別し、臨時的、準−静的（ｓｅｍｉ−ｐｅｒｓｉｓｔｅｎｔ）或いは永久的（ｐｅｒｍａｎｅｎｔ）であってもよい。臨時Ｃ−ＲＮＴＩは、臨時接続過程で割り当てられ、競合解決後には永久的Ｃ−ＲＮＴＩになり得る。準−静的Ｃ−ＲＮＴＩは、ＰＤＣＣＨを用いた準−静的リソースをスケジュールするために用いられ、準−静的スケジューリング（ｓｅｍｉ−ｐｅｒｓｉｓｔｅｎｔ  ｓｃｈｅｄｕｌｉｎｇ、ＳＰＳ）Ｃ−ＲＮＴＩとも呼ばれる。永久的Ｃ−ＲＮＴＩは、任意接続過程の競合解決後に割り当てられるＣ−ＲＮＴＩ値であり、動的リソースをスケジュールするために用いられる。
【００７８】
図４は、無線通信システムで用いられる下りリンクサブフレーム（ｓｕｂｆｒａｍｅ）構造を例示する図である。
【００７９】
図４を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図４を参照すると、サブフレームの第１のスロットで前部に位置した最大３（或いは、４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域として用いられるＯＦＤＭシンボル以外の残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。３ＧＰＰ  ＬＴＥで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を搬送する。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を搬送する。
【００８０】
ＰＤＣＣＨで送信される制御情報を下りリンク制御情報（ｄｏｗｎｌｉｎｋ  ｃｏｎｔｒｏｌ  ｉｎｆｏｒｍａｔｉｏｎ、ＤＣＩ）と称する。ＤＣＩは、ＵＥ又はＵＥグループのためのリソース割当て情報及び他の制御情報を含む。ＤＬ共有チャネル（ｄｏｗｎｌｉｎｋ  ｓｈａｒｅｄ  ｃｈａｎｎｅｌ、ＤＬ−ＳＣＨ）の送信フォーマット（Ｔｒａｎｓｍｉｔ  Ｆｏｒｍａｔ）及びリソース割当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当て情報は、ＵＬスケジューリング情報或いはＵＬグラント（ＵＬ  ｇｒａｎｔ）とも呼ばれる。１  ＰＤＣＣＨが搬送するＤＣＩは、ＤＣＩフォーマットによってその大きさと用途が異なり、コーディングレートによってその大きさが異なりうる。ＤＣＩフォーマットのそれぞれの用途に合わせて、ホッピングフラグ、ＲＢ割当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当てインデックス（ＤＬ  ａｓｓｉｇｎｍｅｎｔ  ｉｎｄｅｘ）、ＨＡＲＱプロセス番号（或いは、インデックス）、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００８１】
複数のＰＤＣＣＨを制御領域内で送信することができる。ＵＥは、複数のＰＤＣＣＨをモニタすることができる。ｅＮＢは、ＵＥに送信されるＤＣＩによってＤＣＩフォーマットを決定し、ＤＣＩにＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスク（又は、スクランブル）される。例えば、ＰＤＣＣＨが特定ＵＥのためのものであれば、当該ＵＥの識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  ｉｎｆｏｒｍａｔｉｏｎ  ｂｌｏｃｋ、ＳＩＢ））のためのものであれば、ＳＩ−ＲＮＴＩ（ｓｙｓｔｅｍ  ｉｎｆｏｒｍａｔｉｏｎ  ＲＮＴＩ）をＣＲＣにマスクすることができる。ＰＤＣＣＨが任意接続応答のためのものであれば、ＲＡ−ＲＮＴＩ（ｒａｎｄｏｍ  ａｃｃｅｓｓ−ＲＮＴＩ）をＣＲＣにマスクすることができる。ＣＲＣマスク（又は、スクランブル）は、例えば、ビットレベルでＣＲＣとＲＮＴＩをＸＯＲ演算することを含む。
【００８２】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集約（ａｇｇｒｅｇａｔｉｏｎ）上で送信される。ＣＣＥは、ＰＤＣＣＨに無線チャネル状態に基づくコーディングレートを提供するために用いる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１  ＣＣＥは９  ＲＥＧに対応し、１  ＲＥＧは４  ＲＥに対応する。４個のＱＰＳＫシンボルがそれぞれのＲＥＧにマップされる。参照信号（ＲＳ）によって占有されたリソース要素（ＲＥ）は、ＲＥＧに含まれない。したがって、与えられたＯＦＤＭシンボル内でＲＥＧの個数は、ＲＳの存在するか否かによって異なってくる。ＲＥＧ概念は、他の下りリンク制御チャネル（すなわち、ＰＣＦＩＣＨ及びＰＨＩＣＨ）にも用いられる。例えば、ＰＣＦＩＣＨ及びＰＨＩＣＨはそれぞれ、４個のＲＥＧ及び３個のＲＥＧを含む。ＰＣＦＩＣＨ或いはＰＨＩＣＨに割り当てられていないＲＥＧの個数をＮＲＥＧとすれば、システムでＰＤＣＣＨのために利用可能な下りリンクサブフレームにおけるＣＣＥの個数は、０からＮＣＣＥ−１までナンバリングされ、ここで、ＮＣＣＥ＝ｆｌｏｏｒ（ＮＲＥＧ／９）である。
【００８３】
ＰＤＣＣＨフォーマット及びＤＣＩビット数は、ＣＣＥの個数によって決定される。ＣＣＥは、番号が付けられて連続して用いられ、復号（ｄｅｃｏｄｉｎｇ）過程を簡単にするために、ｎ個ＣＣＥで構成されたフォーマットを有するＰＤＣＣＨは、ｎの倍数に該当する番号を有するＣＣＥでのみ開始することができる。例えば、ｎ個の連続した（ｃｏｎｓｅｃｕｔｉｖｅ）ＣＣＥで構成されたＰＤＣＣＨは、‘ｉ  ｍｏｄ  ｎ  ＝０’を満たすＣＣＥ上でのみ開始することができる。ここで、ｉは、ＣＣＥインデックス（或いは、ＣＣＥ番号）である。
【００８４】
特定ＰＤＣＣＨの送信に用いられるＣＣＥの個数は、チャネル状態に基づいてネットワーク或いはｅＮＢによって決定される。例えば、良い下りリンクチャネルを有するＵＥ（例、ｅＮＢに近接している）のためのＰＤＣＣＨの場合、１個のＣＣＥでも十分でありうる。しかし、劣悪なチャネルを有するＵＥ（例、セル境界に近接している）のためのＰＤＣＣＨの場合、十分なロバスト性（ｒｏｂｕｓｔｎｅｓｓ）を得るためには、８個のＣＣＥが要求されてもよい。また、ＰＤＣＣＨの電力レベルは、チャネル状態に合わせて調整することができる。
【００８５】
３ＧＰＰ  ＬＴＥ／ＬＴＥ−Ａシステムの場合、各ＵＥのためにＰＤＣＣＨが位置し得るＣＣＥの集合（ｓｅｔ）が定義される。ＵＥが自身のＰＤＣＣＨを発見できるＣＣＥの集合をＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタ（ｍｏｎｉｔｏｒｉｎｇ）するＰＤＣＣＨ候補の集合は、探索空間と定義する。探索空間は、異なる大きさを有することができ、専用（ｄｅｄｉｃａｔｅｄ）探索空間と共通（ｃｏｍｍｏｎ）探索空間が定義されている。専用探索空間は、ＵＥ特定的探索空間（ＵＥ−ｓｐｅｃｉｆｉｃ  ｓｅａｒｃｈ  ｓｐａｃｅ、ＵＳＳ）であり、それぞれの個別ＵＥのために設定される（ｃｏｎｆｉｇｕｒｅｄ）。共通探索空間（ｃｏｍｍｏｎ  ｓｅａｒｃｈ  ｓｐａｃｅ、ＣＳＳ）は、複数のＵＥのために設定される。
【００８６】
ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタする。ここで、モニタするということは、全てのモニタされるＤＣＩフォーマットによって該当の探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知っておらず、毎サブフレームごとに該当のＤＣＩフォーマットの全てのＰＤＣＣＨに対して、自身の識別子を有するＰＤＣＣＨを検出するまでＰＤＣＣＨの復号を試みるが、このような過程をブラインド検出（ｂｌｉｎｄ  ｄｅｔｅｃｔｉｏｎ）或いはブラインド復号（ｂｌｉｎｄ  ｄｅｃｏｄｉｎｇ、ＢＤ）という。
【００８７】
例えば、特定ＰＤＣＣＨが“Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスク（ｍａｓｋｉｎｇ）されており、“Ｂ”という無線リソース（例、周波数位置）及び“Ｃ”という送信形式情報（例、伝送ブロックサイズ、変調方式、コーディング情報など）を用いて送信されるデータに関する情報が特定ＤＬサブフレームで送信されると仮定（ａｓｓｕｍｅ）する。ＵＥは、自身の有しているＲＮＴＩ情報を用いてＰＤＣＣＨをモニタし、“Ａ”というＲＮＴＩを有するＵＥはＰＤＣＣＨを検出し、受信したＰＤＣＣＨの情報を用いて“Ｂ”と“Ｃ”によって示されるＰＤＳＣＨを受信する。
【００８８】
受信装置が送信装置でからの信号を復元するためには、上記受信装置と送信装置間のチャネルを推定するための参照信号を必要とする。参照信号は、大きく、復調用参照信号とチャネル測定用参照信号とに分類することができる。３ＧＰＰ  ＬＴＥシステムで定義されたＣＲＳは、復調目的にも測定目的にも用いることができる。３ＧＰＰ  ＬＴＥ−Ａシステムでは、ＣＲＳの他に、ＵＥ−特定的ＲＳ（以下、ＵＥ−ＲＳ）及びＣＳＩ−ＲＳがさらに定義される。ＵＥ−ＲＳは復調のために、ＣＳＩ−ＲＳはチャネル状態情報を得る（ｄｅｒｉｖｅ）ために用いられる。一方、ＲＳは、ＲＳの存在に対する認識によって、専用ＲＳ（ｄｅｄｉｃａｔｅｄ  ＲＳ、ＤＲＳ）と共通ＲＳ（ｃｏｍｍｏｎ  ＲＳ）とに区別される。ＤＲＳは、特定ＲＳにのみ知らされ、ＣＲＳは全ＵＥに知らされる。３ＧＰＰ  ＬＴＥシステムで定義されたＣＲＳは共通ＲＳの一種と理解し、ＤＲＳはＵＥ−ＲＳの一種と理解することができる。
【００８９】
参考として、復調は復号過程の一部と見なすことができ、本発明では、復調という用語が復号という用語と同じ意味で使われる。
【００９０】
図５は、セル特定的参照信号（ｃｅｌｌ  ｓｐｅｃｉｆｉｃ  ｒｅｆｅｒｅｎｃｅ  ｓｉｇｎａｌ、ＣＲＳ）とＵＥ特定的参照信号（ｕｓｅｒ  ｓｐｅｃｉｆｉｃ  ｒｅｆｅｒｅｎｃｅ  ｓｉｇｎａｌ、ＵＥ−ＲＳ）を例示する図である。特に、図５は、正規ＣＰを有するサブフレームのＲＢ対でＣＲＳ及びＵＥ−ＲＳによって占有されるＲＥを示す図である。
【００９１】
既存３ＧＰＰ  ＬＴＥシステムで、ＣＲＳは復調目的及び測定目的のいずれにも用いられるため、ＣＲＳは、ＰＤＳＣＨ送信を支援するセル（ｃｅｌｌ）内の全下りリンクサブフレームで全下りリンク帯域幅にわたって送信され、ｅＮＢに設定された（ｃｏｎｆｉｇｕｒｅｄ）全アンテナポートから送信される。
【００９２】
ＵＥはＣＲＳを用いてＣＳＩを測定することができ、ＣＲＳを用いて、該ＣＲＳを含むサブフレームでＰＤＳＣＨを介して受信された信号を復調することができる。すなわち、ｅＮＢは、全ＲＢで各ＲＢ内の一定の位置でＣＲＳを送信し、ＵＥは、上記ＣＲＳを基準にチャネル推定を行った後にＰＤＳＣＨを検出する。例えば、ＵＥは、ＣＲＳ  ＲＥで受信された信号を測定し、該測定された信号と、上記ＣＲＳ  ＲＥ別受信エネルギーのＰＤＳＣＨがマップされたＲＥ別受信エネルギーに対する比を用いて、ＰＤＳＣＨのマップされたＲＥからＰＤＳＣＨ信号を検出することができる。しかし、このようにＣＲＳに基づいてＰＤＳＣＨが送信される場合には、ｅＮＢが全ＲＢに対してＣＲＳを送信しなければならず、余計なＲＳオーバーヘッドが発生する。このような問題点を解決するために、３ＧＰＰ  ＬＴＥ−Ａシステムでは、ＣＲＳの他に、ＵＥ−特定的ＲＳ（以下、ＵＥ−ＲＳ）及びＣＳＩ−ＲＳをさらに定義する。ＵＥ−ＲＳは復調のために、ＣＳＩ−ＲＳはチャネル状態情報を得る（ｄｅｒｉｖｅ）ために用いられる。ＵＥ−ＲＳは、ＤＲＳの一種と理解することができる。ＵＥ−ＲＳ及びＣＲＳは復調のために用いられるため、用途の側面で復調用ＲＳということができる。ＣＳＩ−ＲＳ及びＣＲＳは、チャネル測定或いはチャネル推定に用いられるため、用途の側面では測定用ＲＳということができる。
【００９３】
ＵＥ−ＲＳはＰＤＳＣＨの送信のために支援され、アンテナポートｐ＝５、ｐ＝７、ｐ＝８或いはｐ＝７，８，．．．，υ＋６（ここで、υは、上記ＰＤＳＣＨの送信のために用いられるレイヤの個数）を介して送信される。ＵＥ−ＲＳは、ＰＤＳＣＨ送信が該当のアンテナポートと関連すると存在し、ＰＤＳＣＨの復調（ｄｅｍｏｄｕｌａｔｉｏｎ）のみのために有効な（ｖａｌｉｄ）参照（ｒｅｆｅｒｅｎｃｅ）である。ＵＥ−ＲＳは、該当ＰＤＳＣＨのマップされたＲＢ上でのみ送信される。すなわち、ＵＥ−ＲＳは、ＰＤＳＣＨが存在するか否かに関係なく毎サブフレームごとに送信されるように設定されたＣＲＳとは違い、ＰＤＳＣＨのスケジュールされたサブフレームにおいてＰＤＳＣＨのマップされたＲＢでのみ送信されるように設定される。また、ＵＥ−ＲＳは、ＰＤＳＣＨのレイヤの個数と関係なく全てのアンテナポートを通して送信されるＣＲＳとは違い、ＰＤＳＣＨのレイヤにそれぞれ対応するアンテナポートを通してのみ送信される。これによって、ＣＲＳに比べてＲＳのオーバーヘッドを減らすことができる。
【００９４】
３ＧＰＰ  ＬＴＥ−Ａシステムで、ＵＥ−ＲＳはＰＲＢ対で定義される。図５を参照すると、ｐ＝７、ｐ＝８或いはｐ＝７，８，．．．，υ＋６に対して、該当ＰＤＳＣＨ送信のために指定（ａｓｓｉｇｎ）された周波数−ドメインインデックスｎＰＲＢを有するＰＲＢで、ＵＥ−ＲＳシーケンスｒ（ｍ）の一部が次の式によってサブフレームで複素変調シンボル
【００９５】
【化１】
0006284951.tif 000010
【００９６】
にマップされる。
【００９７】
【数４】
0006284951.tif 000011
【００９８】
ここで、ｗｐ（ｉ）、ｌ’、ｍ’は、次式のように与えられる。
【００９９】
【数５】
0006284951.tif 000012
【０１００】
ここで、ｎｓは、１無線フレームにおけるスロット番号であり、０から１９までの整数の１つである。正規ＣＰのためのシーケンス
【０１０１】
【化２】
0006284951.tif 000013
【０１０２】
は、次の表によって与えられる。
【０１０３】
【表６】
0006284951.tif 000014
【０１０４】
アンテナポートｐ∈｛７，８，．．．，υ＋６｝に対してＵＥ−ＲＳシーケンスｒ（ｍ）は次のように定義される。
【０１０５】
【数６】
0006284951.tif 000015
【０１０６】
ｃ（ｉ）は、擬似−任意（ｐｓｅｕｄｏ−ｒａｎｄｏｍ）シーケンスであり、長さ−３１ゴールド（Ｇｏｌｄ）シーケンスによって定義される。長さＭＰＮである出力シーケンスｃ（ｎ）（ここで、ｎ＝０，１，．．．，ＭＰＮ−１）は、次の式によって定義される。
【０１０７】
【数７】
0006284951.tif 000016
【０１０８】
ここで、ＮＣ＝１６００であり、１番目のｍ−シーケンスはｘ１（０）＝１、ｘ１（ｎ）＝０、ｎ＝１，２，．．．，３０に初期化され、２番目のｍ−シーケンスは、上記シーケンスの適用による値を有する
【０１０９】
【化３】
0006284951.tif 000017
【０１１０】
によって表示（ｄｅｎｏｔｅ）される。
式６で、ｃ（ｉ）の生成のための任意−擬似シーケンス生成器は、各サブフレームの先頭で次の式によってｃｉｎｉｔに初期化される。
【０１１１】
【数８】
0006284951.tif 000018
【０１１２】
式８で、
【０１１３】
【化４】
0006284951.tif 000019
【０１１４】
に対応する数量（ｑｕａｎｔｉｔｉｅｓ）ｎ（ｉ）ＩＤ（ここで、ｉ＝０，１）は、ＵＥ−ＲＳ生成のために上位層によって提供されるスクランブリング識別子ｎＤＭＲＳ，ｉＩＤに対する値が上位層によって提供されないか、ＤＣＩフォーマット１Ａ、２Ｂ又は２ＣがＰＤＳＣＨ送信と関連したＤＣＩに対して用いられると、物理層セル識別子ＮｃｅｌｌＩＤであり、それ以外はｎＤＭＲＳ，ｉＩＤとなる。
【０１１５】
式８でｎＳＣＩＤの値は別に特定されないと０であり、アンテナポート７或いは８上のＰＤＳＣＨ送信に対してｎＳＣＩＤは、ＰＤＳＣＨ送信と関連したＤＣＩフォーマット２Ｂ或いは２Ｃによって与えられる。ＤＣＩフォーマット２Ｂは、ＵＥ−ＲＳを有するアンテナポートを最大２個まで用いるＰＤＳＣＨのためのリソース指定（ｒｅｓｏｕｒｃｅ  ａｓｓｉｇｎｍｅｎｔ）のためのＤＣＩフォーマットであり、ＤＣＩフォーマット２Ｃは、ＵＥ−ＲＳを有するアンテナポートを最大８個まで用いるＰＤＳＣＨのためのリソース指定（ｒｅｓｏｕｒｃｅ  ａｓｓｉｇｎｍｅｎｔ）のためのＤＣＩフォーマットである。
【０１１６】
ＤＣＩフォーマット２Ｂの場合、ｎＳＣＩＤは、次の表によるスクランブリング識別子フィールドによって指定される。
【０１１７】
【表７−１】
0006284951.tif 000020
【０１１８】
ＤＣＩフォーマット２Ｃの場合、ｎＳＣＩＤは、次の表によって与えられる。
【０１１９】
【表８−１】
0006284951.tif 000021
【０１２０】
図６は、無線通信システムに用いられる上りリンク（ｕｐｌｉｎｋ、ＵＬ）サブフレーム構造の一例を示す図である。
【０１２１】
図６を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌ）を上りリンク制御情報（ｕｐｌｉｎｋ  ｃｏｎｔｒｏｌ  ｉｎｆｏｒｍａｔｉｏｎ、ＵＣＩ）を搬送するために上記制御領域に割り当てることができる。１つ又は複数のＰＵＳＣＨ（ｐｈｙｓｉｃａｌ  ｕｐｌｉｎｋ  ｓｈａｒｅｄ  ｃｈａｎｎｅｌ）をユーザデータを搬送するためにＵＬサブフレームのデータ領域に割り当てることができる。
【０１２２】
ＵＬサブフレームではＤＣ（Ｄｉｒｅｃｔ  Ｃｕｒｒｅｎｔ）副搬送波を基準に遠い距離の副搬送波が制御領域でとして活用される。換言すれば、ＵＬ送信帯域幅の両端部に位置する副搬送波が上りリンク制御情報の送信に割り当てられる。ＤＣ副搬送波は、信号送信に用いられないで残される成分であり、周波数アップコンバート過程で搬送波周波数ｆ０にマップされる。１つのＵＥに対するＰＵＣＣＨは、１つのサブフレームで、１つの搬送波周波数で動作するリソースに属したＲＢ対に割り当てられ、上記ＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホップすると表現する。ただし、周波数ホップが適用されない場合には、ＲＢ対が同一の副搬送波を占有する。
【０１２３】
ＰＵＣＣＨは、次の制御情報を送信するために用いることができる。
【０１２４】
ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【０１２５】
ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ１ビットが送信され、２つの下りリンクコードワードに対する応答とししてＨＡＲＱ−ＡＣＫ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【０１２６】
ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＣＳＩは、チャネル品質指示子（ｃｈａｎｎｅｌ  ｑｕａｌｉｔｙ  ｉｎｆｏｒｍａｔｉｏｎ、ＣＱＩ）、プリコーディング行列指示子（ｐｒｅｃｏｄｉｎｇ  ｍａｔｒｉｘ  ｉｎｄｉｃａｔｏｒ、ＰＭＩ）、プリコーディングタイプ指示子（ｐｒｅｃｏｄｉｎｇ  ｔｙｐｅ  ｉｎｄｉｃａｔｏｒ）、及び／又はランク指示（ｒａｎｋ  ｉｎｄｉｃａｔｉｏｎ、ＲＩ）で構成することができる。これらのうち、ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ及びＰＭＩを含む。ＲＩは、ＵＥが同一の時間−周波数リソースを用いて受信できるストリームの個数或いはレイヤ（ｌａｙｅｒ）の個数を意味する。ＰＭＩは、チャネルの空間（ｓｐａｃｅ）特性を反映した値であり、ＵＥがＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）などのメトリック（ｍｅｔｒｉｃ）を基準に下りリンク信号送信のために好むプリコーディング行列のインデックスを表す。ＣＱＩは、チャネルの強度を示す値であり、通常、ｅＮＢがＰＭＩを用いたときにＵＥに得られる受信ＳＩＮＲを表す。
【０１２７】
ＵＥが上りリンク送信にＳＣ−ＦＤＭＡ方式を採択する場合、単一搬送波特性を維持するために、３ＧＰＰ  ＬＴＥリリース（ｒｅｌｅａｓｅ）８或いはリリース９システムでは、１つの搬送波上ではＰＵＣＣＨとＰＵＳＣＨを同時に送信することができない。３ＧＰＰ  ＬＴＥリリース１０システムでは、ＰＵＣＣＨとＰＵＳＣＨの同時送信を支援するか否かを上位レイヤで知らせることができる。
【０１２８】
図７は、本発明を実行する送信装置１０及び受信装置２０の構成要素を示すブロック図である。
【０１２９】
送信装置１０及び受信装置２０は、情報及び／又はデータ、信号、メッセージなどを搬送する無線信号を送信又は受信できる無線周波数（ｒａｄｉｏ  ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０１３０】
メモリ１２，２２は、プロセッサ１１，２１の処理及び制御のためのプログラムを格納することができ、入／出力される情報を臨時記憶することができる。メモリ１２，２２をバッファーとして活用することができる。
【０１３１】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０１３２】
送信装置１０のプロセッサ１１は、プロセッサ１１又はプロセッサ１１と接続されたスケジューラからスケジュールされて外部に送信される信号及び／又はデータに対して所定のコーディング（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネルコーディング、スクランブリング、変調過程などを経てＮｌａｙｅｒ個のレイヤに変換する。コーディングされたデータ列はコードワードとも呼ばれ、ＭＡＣ層の提供するデータブロックである伝送ブロックと等価である。１つの伝送ブロック（ｔｒａｎｓｐｏｒｔ  ｂｌｏｃｋ、ＴＢ）は１つのコードワードにコーディングされ、各コードワードは、１つ以上のレイヤの形態で受信装置に送信される。周波数アップコンバートのためにＲＦユニット１３はオシレーター（ｏｓｃｉｌｌａｔｏｒ）を備えることができる。ＲＦユニット１３は、Ｎｔ個（Ｎｔは１以上の正の整数）の送信アンテナを有することができる。
【０１３３】
受信装置２０の信号処理過程は、送信装置１０の信号処理過程の逆に構成される。プロセッサ２１の制御下に、受信装置２０のＲＦユニット２３は送信装置１０によって送信された無線信号を受信する。ＲＦユニット２３はＮｒ個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１０が本来送信しようとしたデータを復元することができる。
【０１３４】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２０でそれ以上分解することができない。該当アンテナに対応して送信された参照信号（ｒｅｆｅｒｅｎｃｅ  ｓｉｇｎａｌ、ＲＳ）は、受信装置２０の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２０にとって上記アンテナに対するチャネル推定を可能にする。すなわち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は、２個以上のアンテナと接続することができる。
【０１３５】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに具備されたプロセッサ、ＲＦユニット及びメモリを、ＵＥプロセッサ、ＵＥ  ＲＦユニット及びＵＥメモリとそれぞれ称し、ｅＮＢに具備されたプロセッサ、ＲＦユニット及びメモリを、ｅＮＢプロセッサ、ｅＮＢ  ＲＦユニット及びｅＮＢメモリとそれぞれ称する。
【０１３６】
図８は、物理チャネル処理の概要（ｏｖｅｒｖｉｅｗ）を例示する図である。物理上りリンク共有チャネル或いは物理下りリンク共有チャネルを表す（ｒｅｐｒｅｓｅｎｔ）基底帯域（ｂａｓｅｂａｎｄ）信号は、図９の処理過程によって定義することができる。
【０１３７】
図８を参照すると、送信装置は、スクランブラ３０１及び変調マッパー３０２、レイヤマッパー３０３、プリコーダ３０４、リソース要素マッパー３０５、ＯＦＤＭ信号生成器３０６を備えることができる。
【０１３８】
送信装置１０は、１つ以上のコードワード（ｃｏｄｅｗｏｒｄ）を送信することができるが、各コードワードのコーディングされたビット（ｃｏｄｅｄ  ｂｉｔｓ）はそれぞれ、スクランブラ３０１によってスクランブルされて物理チャネル上で送信される。
【０１３９】
スクランブルされたビットは、変調マッパー３０２によって複素変調シンボル（ｃｏｍｐｌｅｘ−ｖａｌｕｅｄ  ｍｏｄｕｌａｔｉｏｎ  ｓｙｍｂｏｌｓ）に変調される。該変調マッパーは、上記のスクランブルされたビットを、予め決定された変調方式によって変調して、信号コンステレーション（ｓｉｇｎａｌ  ｃｏｎｓｔｅｌｌａｔｉｏｎ）上の位置を表現する複素変調シンボルとすることができる。変調方式（ｍｏｄｕｌａｔｉｏｎ  ｓｃｈｅｍｅ）に制限はなく、ｍ−ＰＳＫ（ｍ−Ｐｈａｓｅ  Ｓｈｉｆｔ  Ｋｅｙｉｎｇ）又はｍ−ＱＡＭ（ｍ−Ｑｕａｄｒａｔｕｒｅ  Ａｍｐｌｉｔｕｄｅ  Ｍｏｄｕｌａｔｉｏｎ）などを上記のコーディングされたデータの変調に用いることができる。
【０１４０】
上記の複素変調シンボルは、レイヤマッパー３０３によって１つ以上の送信レイヤにマップされる。
【０１４１】
各レイヤ上の複素変調シンボルは、アンテナポート上での送信のためにプリコーダ３０４によってプリコーディングされる。具体的に、プリコーダ３０４は、複素変調シンボルを多重送信アンテナによるＭＩＭＯ方式で処理してアンテナ特定シンボルを出力し、これらのアンテナ特定シンボルを該当のリソース要素マッパー３０５に分配する。すなわち、送信レイヤのアンテナポートへのマッピングはプリコーダ３０４によって行われる。プリコーダ３０４は、レイヤマッパー３０３の出力ｘをＮｔ×Ｍｔのプリコーディング行列ＷとかけてＮｔ×ＭＦの行列ｚとして出力することができる。ここで、Ｎｔは送信アンテナの個数に該当し、Ｍｔはレイヤの個数に該当する。プリコーディング行列によって異なるプリコーダ３０４が設定（ｃｏｎｆｉｇｕｒｅ）されるため、本発明では、信号に適用されるプリコーディング行列が同一であれば、同一のプリコーダが適用されると表現し、信号に適用されるプリコーディング行列が異なると、異なるプリコーダが適用されると表現する。
【０１４２】
リソース要素マッパー３０５は、各アンテナポートに対する複素変調シンボルを適切なリソース要素（ｒｅｓｏｕｒｃｅ  ｅｌｅｍｅｎｔｓ）にマップ／割当てする。リソース要素マッパー３０５は、各アンテナポートに対する複素変調シンボルを適切な副搬送波に割り当て、ＵＥによって多重化することができる。
【０１４３】
ＯＦＤＭ信号生成器３０６は、上記各アンテナポートに対する複素変調シンボル、すなわち、アンテナ特定シンボルをＯＦＤＭ又はＳＣ−ＦＤＭ方式で変調し、複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号又はＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボル信号を生成する。ＯＦＤＭ信号生成器３０６は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴされた時間ドメインシンボルにはＣＰ（Ｃｙｃｌｉｃ  Ｐｒｅｆｉｘ）を挿入することができる。ＯＦＤＭシンボルは、デジタル−アナログ（ｄｉｇｉｔａｌ−ｔｏ−ａｎａｌｏｇ）変換、周波数アップコンバートなどを経て、各送信アンテナから受信装置２０に送信される。ＯＦＤＭ信号生成器３０６は、ＩＦＦＴモジュール及びＣＰ挿入器、ＤＡＣ（Ｄｉｇｉｔａｌ−ｔｏ−Ａｎａｌｏｇ  Ｃｏｎｖｅｒｔｅｒ）、周波数アップコンバータ（ｆｒｅｑｕｅｎｃｙ  ｕｐｃｏｎｖｅｒｔｅｒ）などを備えることができる。
【０１４４】
一方、ＵＥ或いはｅＮＢがコードワードの送信にＳＣ−ＦＤＭ接続（ＳＣ−ＦＤＭＡ）方式を採択する場合、送信器或いはプロセッサは、離散フーリエ変換器（Ｄｉｓｃｒｅｔｅ  Ｆｏｕｒｉｅｒ  Ｔｒａｎｓｆｏｒｍ）モジュール（３０７）（或いは、高速フーリエ変換器（Ｆａｓｔ  Ｆｏｕｒｉｅｒ  Ｔｒａｎｓｆｏｒｍ）モジュール）を備えることができる。離散フーリエ変換器は、上記のアンテナ特定シンボルにＤＦＴ（Ｄｉｓｃｒｅｔｅ  Ｆｏｕｒｉｅｒ  Ｔｒａｎｓｆｏｒｍ）或いはＦＦＴ（Ｆａｓｔ  Ｆｏｕｒｉｅｒ  Ｔｒａｎｓｆｏｒｍ）（以下、ＤＦＴ／ＦＦＴ）を行い、ＤＦＴ／ＦＦＴされたシンボルをリソース要素マッパー３０５に出力する。
【０１４５】
受信装置２０の信号処理過程は、以上に説明した送信機の信号処理過程と駅に構成される。具体的に、受信装置２０は、受信した信号を基底帯域信号に復元するための信号復元器、受信処理された信号を結合して多重化する多重化器、多重化された信号列を該当コードワードに復調するチャネル復調器を備えることができる。信号復元器、多重化器及びチャネル復調器は、それらの機能を持つ統合された１つのモジュール又はそれぞれの独立したモジュールで構成することができる。例えば、信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、デジタル信号からＣＰを除去するＣＰ除去器、ＣＰの除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、周波数ドメインシンボルをアンテナ特定シンボルに復元するリソース要素デマッパー（ｒｅｓｏｕｒｃｅ  ｅｌｅｍｅｎｔ  ｄｅｍａｐｐｅｒ）／等化器（ｅｑｕａｌｉｚｅｒ）を備えることができる。上記アンテナ特定シンボルは、多重化器によって送信レイヤに復元され、該送信レイヤは、チャネル復調器によって送信装置が送信しようとしたコードワードに復元される。
【０１４６】
一方、受信装置２０がＳＣ−ＦＤＭＡ方式によって送信された信号を受信する場合、受信装置２０は、逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）モジュール（或いは、ＩＦＦＴモジュール）をさらに備える。ＩＤＦＴ／ＩＦＦＴモジュールは、リソース要素デマッパーによって復元されたアンテナ特定シンボルにＩＤＦＴ／ＩＦＦＴを行い、ＩＤＦＴ／ＩＦＦＴされたシンボルを多重化器に出力する。
【０１４７】
参考として、送信装置１０のプロセッサ１１は、スクランブラ３０１、変調マッパー３０２、レイヤマッパー３０３、プリコーダ３０４、リソース要素マッパー３０５、ＯＦＤＭ信号生成器３０６を備えるように構成することができる。同様に、受信装置２０のプロセッサ２１は、信号復元器、多重化器及びチャネル復調器を備えるように構成することができる。
【０１４８】
近年、機械タイプ通信（ｍａｃｈｉｎｅ  ｔｙｐｅ  ｃｏｍｍｕｎｉｃａｔｉｏｎ、ＭＴＣ）が重要な通信標準化の課題として台頭している。ＭＴＣとは、主に、人間の介入無しで或いは人間の介入を最小化して機械（ｍａｃｈｉｎｅ）とｅＮＢ間で行われる情報交換を意味する。例えば、ＭＴＣは、計器検針、水位測定、監視カメラの活用、自販機の在庫報告などのような測定／感知／報告などのデータ通信などに用いることができ、所定の特性を共有する複数のＵＥに対する自動アプリケーション或いはファームウェアの更新過程などに用いることができる。ＭＴＣの場合、送信データ量が少なく、上りリンク／下りリンクデータ送信又は受信（以下、送信／受信）が時たま発生する。このようなＭＴＣの特性上、ＭＴＣのためのＵＥ（以下、ＭＴＣ  ＵＥ）は、低いデータ伝送率に対応して、ＵＥ製作単価を下げ、バッテリー消耗を減らす方が効率的である。また、このようなＭＴＣ  ＵＥは、移動性が少なく、よってチャネル環境がほとんど変わらない特性を有する。ＭＴＣ  ＵＥが計量、検針、監視などに用いられる場合、ＭＴＣ  ＵＥは、通常のｅＮＢのカバレッジが至らない位置、例えば、地下、倉庫又は山間などに位置する可能性が高い。このようなＭＴＣ  ＵＥの用途からして、ＭＴＣ  ＵＥのための信号は、既存ＵＥ（以下、レガシーＵＥ）のための信号に比べて広いカバレッジを有することが好ましい。
【０１４９】
一方、ＵＥが特定セルに初期接続を行う場合、ＵＥは、当該セルを運用／制御するｅＮＢから当該セルに対するＭＩＢ及びＳＩＢとＲＲＣパラメータを受信する。このとき、ＭＴＣ  ＵＥの用途を考慮すると、ＭＴＣ  ＵＥはレガシーＵＥに比べて広いカバレッジの信号を必要とする可能性が高い。このため、ｅＮＢがレガシーＵＥに送信する方式と同様の方式でＳＩＢ、ＲＲＣパラメータなどをＭＴＣ  ＵＥに送信すると、ＭＴＣ  ＵＥにとってはその受信が難しい。そこで、本発明は、ＭＴＣ  ＵＥがｅＮＢの送信するシステム情報及びＲＲＣ情報を有効に受信できるようにするために、レガシーＵＥに対するシステム情報及びＲＲＣ情報の送信技法とは異なる、そして当該情報を搬送する信号のカバレッジを上げることができる技法を提案する。以下に説明する本発明の実施例は、カバレッジ強化のための方案であるから、ＭＴＣ  ＵＥだけでなく、カバレッジ問題がある他のＵＥにも適用することができる。ただし、説明の便宜のために、以下の説明では、本発明に係るカバレッジ強化方法を実施し得るように具現されているＵＥをＭＴＣ  ＵＥと称し、本発明に係るカバレッジ強化方法を実施し得るように具現されていないＵＥをレガシーＵＥと称する。
【０１５０】
（Ａ．  ＳＩＢ、セル−特定的ＲＲＣ、ＵＥ−特定的ＲＲＣの縮小）
ＭＴＣ  ＵＥに送信されるＭＩＢ、ＳＩＢ、セル−特定的ＲＲＣ、及びＵＥ−特定的ＲＲＣパラメータのカバレッジを上げるために、本発明は、それらのパラメータのビット数を減らすことを提案する。ＭＩＢ、ＳＩＢ、ＲＲＣ信号が搬送する情報ビット数が減ると、送信オーバーヘッドが減るだけでなく、コーディングレートが低くなることから送信カバレッジが高くなるためである。送信情報ビットの縮小のために、カバレッジ問題（ｉｓｓｕｅ）があるＭＴＣ  ＵＥのために送信されるＭＩＢ、ＳＩＢ、セル−特定的ＲＲＣパラメータなどのセル−特定的上位層信号とＵＥ−特定的ＲＲＣパラメータを、既存の送信方式とは異なる方式で送信することができる。
【０１５１】
本発明では、ＭＩＢ、ＳＩＢ又はＲＲＣパラメータを、カバレッジ問題が存在するＭＴＣ  ＵＥに送信するための方法を提案する。このために、以下のような方法を用いることができ、下の方法ではＳＩＢの送信を例に挙げて説明するが、ＭＩＢ、セル−特定的ＲＲＣ又はＵＥ−特定的ＲＲＣの送信のためにも同様の方法を適用することができる。
【０１５２】
（方法Ａ−１）インデックス方法）
図９は、本発明の一実施例に係るパラメータ縮小のための一方法を例示するものである。
【０１５３】
ｅＮＢは、カバレッジ問題が存在するＵＥに、該ＵＥが使用するＳＩＢを知らせるために次のような方法を用いることができる。まず、全体又は一部のＳＩＢのパラメータに対して互いに異なる値を持つＳＩＢセット（ｓｅｔ）を事前に定義することができる。例えば、ＳＩＢセットがＳＩＢセット０、ＳＩＢセット１，．．．、ＳＩＢセットＮのように存在するとき、ｅＮＢとＵＥは、このようなＳＩＢセットを事前に共有することができる。ＳＩＢセットは、事前に定義されてｅＮＢとＵＥに記憶されていてもよく、ＵＥがｅＮＢに接続する際に、ｅＮＢがＵＥに提供することもできる。
【０１５４】
ＬＴＥ−Ａシステムには、放送或いは専用（ｄｅｄｉｃａｔｅｄ）シグナリングを通じて送信され、ＵＥがセルに接続するように許容される（ａｌｌｏｗ）か否かを評価（ｅｖａｌｕａｔｅ）する時と関連した情報を含みながら、他のＳＩＢのスケジューリングを定義するシステム情報ブロックタイプ１（ＳｙｓｔｅｍＩｎｆｏｒｍａｔｉｏｎＢｌｏｃｋＴｙｐｅ１、ＳＩＢ１）、共通（ｃｏｍｍｏｎ）及び共有（ｓｈａｒｅｄ）チャネル情報を含むシステム情報ブロックタイプ２（ＳｙｓｔｅｍＩｎｆｏｒｍａｔｉｏｎＢｌｏｃｋＴｙｐｅ２、ＳＩＢ２）、主にサービングセルと関連したセル再−選択情報を含むシステム情報ブロックタイプ３（ＳｙｓｔｅｍＩｎｆｏｒｍａｔｉｏｎＢｌｏｃｋＴｙｐｅ３、ＳＩＢ３）などの、用途による複数のＳＩＢを定義しておくことができる。本発明では、ＳＩＢセットを、ＳＩＢ１、ＳＩＢ２、ＳＩＢ３等の各ＳＩＢ別に独立して生成し、互いに異なるインデックスによって独立して送信することができる。又は、ＳＩＢ１、ＳＩＢ２、ＳＩＢ３の複数のＳＩＢに対して統合的なＳＩＢセットを生成し、ＵＥに一度で通知することもできる。本発明では、便宜上、ＳＩＢパラメータ値のセットをＳＩＢセットと称するが、本発明において、ＳＩＢセットは、ＳＩＢタイプの組合せによって異なるものではなく、１つのＳＩＢタイプのためのパラメータに設定される値によって異なる。例えば、ＭＩＢ、ＳＩＢｘ（ここで、ｘは０よりも大きい整数）或いは特定ＲＲＣメッセージが含む一連のパラメータに様々な値が設定されてもよいが、これら一連のパラメータの少なくとも一つに対して設定された値が異なると、本発明に係るパラメータセットも異なってくる。換言すれば、１つのＳＩＢセットは複数のビット或いは値で構成されるが、互いに異なるＳＩＢセットは、互いに異なるパラメータに対する値を意味するよりは、同一のパラメータに対する互いに異なる値を意味する。したがって、同一パラメータに対して値が異なると、互いに異なるＳＩＢセットとなる。
【０１５５】
ＳＩＢ１に対して、複数のＳＩＢ１セットを定義することができる。このとき、各ＳＩＢ１セットは、ＳＩＢ１に属したパラメータの値で構成される。次の表は、一つのＳＩＢ１セットを構成するパラメータと当該パラメータに関する説明である。
【０１５６】
【表７−２】
0006284951.tif 000022
【０１５７】
次の表は、表７の各パラメータに関する説明である。
【０１５８】
【表８−２】
0006284951.tif 000023
【０１５９】
例えば、１つのＳＩＢ１を、表７のパラメータ値で構成することができる。表７の５個のパラメータのそれぞれの値によってＳＩＢ１セットを定義することができる。例えば、表７の５個のパラメータのうち少なくとも１つの値が異なると、他のＳＩＢ１セットと定義する。６個のＳＩＢ１セットが存在すると仮定すれば、６個のＳＩＢ１セットに対するパラメータ値をｅＮＢとＵＥが事前に共有することができる。６個のＳＩＢ１セットは、ＳＩＢ１セットを構成する一連のパラメータのうち少なくとも１つが異なった値を有するように定義される。ｅＮＢはＵＥに、６個のＳＩＢ１セットのいずれか一つのインデックス値を送信することによって、ＵＥの使用する特定ＳＩＢ１セットを知らせることができる。換言すれば、ＳＩＢ１が含むパラメータに設定される値によって複数のＳＩＢ１が定義され、それらは事前にｅＮＢとＵＥ間に共有されており、ｅＮＢは、動的、準−静的（ｓｅｍｉ−ｓｔａｔｉｃ）或いは静的（ｓｔａｔｉｃ）に上記ＳＩＢ１パラメータ値の既に定義されたセットのいずれか一つをＵＥに知らせることによって、ＵＥの使用するパラメータ値を知らせることができる。
【０１６０】
ｅＮＢはＵＥに、図９（ａ）又は図９（ｂ）に示すように、ＳＩＢセットインデックスを送信することによって、ＵＥの使用するＳＩＢパラメータを知らせることができる。例えば、ｅＮＢは、次の表のように定義されたＳＩＢ１セットインデックス値のうちの一つをＵＥに送信することができる。
【０１６１】
【表９】
0006284951.tif 000024
【０１６２】
ＵＥの使用するＳＩＢパラメータは、図９（ａ）に示すように、一つのＳＩＢセットインデックスを用いて表現することができる。又は、ＳＩＢセットは、複数個のＳＩＢセットの集合で構成されてもよい。例えば、ＵＥの使用するＳＩＢパラメータは、図９（ｂ）に示すように、２個以上の部分に区分され、２つ以上のＳＩＢセットインデックスで表現されてもよい。図９（ｂ）を参照すると、Ｎ個のＳＩＢセットとＫ個のＳＩＢセットで構成された互いに異なったＳＩＢセットの集合は、互いに異なるパラメータに対する値を示すようになる。このとき、１つのＳＩＢセットの集合は、１つのＳＩＢタイプのためのパラメータで構成されてもよいが、複数個のＳＩＢタイプに属するパラメータで構成されてもよい。
【０１６３】
ＲＲＣパラメータも同様に、事前に定義されたＲＲＣパラメータセットを生成し、ｅＮＢはＵＥにＲＲＣパラメータセットのインデックスのみを送信して、ＵＥの使用するセル−特定的ＲＲＣパラメータを知らせることができる。このとき、ＲＲＣパラメータセットは、セル−特定的ＲＲＣパラメータのためのセットとＵＥ−特定的ＲＲＣパラメータのためのセットとに区別されてもよい。すなわち、ＵＥは、セル−特定的ＲＲＣパラメータのインデックスとＵＥ−特定的ＲＲＣパラメータのインデックスを区別して受信し、それぞれのインデックス値から、自身の使用するセル−特定的ＲＲＣパラメータとＵＥ−特定的ＲＲＣパラメータ情報を把握することがでる。
【０１６４】
（方法Ａ−２）インデックス方法＋追加的送信方法）
図１０は、本発明の一実施例に係るパラメータの縮小のための他の方法を例示する図である。
【０１６５】
ＬＴＥ−Ａシステムで、ｅＮＢが、カバレッジ問題が存在するＭＴＣ  ＵＥにＳＩＢを送信するために、前述の方法Ａ−２で言及したように、ＳＩＢ１、ＳＩＢ２、ＳＩＢ３、…などの各ＳＩＢに対してＳＩＢセットインデックス値を送信することによって、又は全てのＳＩＢに対する統合的なＳＩＢセットに対するインデックス値を送信することによって、ＵＥの使用するＳＩＢに関する情報を知らせることができる。
【０１６６】
方法Ａ−１を変形した本発明の方法Ａ−２は、ｅＮＢがＵＥにＳＩＢパラメータを送信するために、ＳＩＢセットインデックスを送信してＵＥの使用するＳＩＢを知らせる方式と、ＳＩＢパラメータの値を直接送信する方式を併せて用いることを提案する。本発明の方法Ａ−２は、まず、ＳＩＢパラメータを２部分に分け、２部分をそれぞれ静的ＳＩＢパラメータと動的ＳＩＢパラメータと呼ぶ。静的ＳＩＢパラメータと動的ＳＩＢパラメータは、互いに異なるＳＩＢパラメータで構成することができる。ＳＩＢパラメータの一部分で構成した静的ＳＩＢパラメータは、図１０に示すように複数のセットで構成することができ、ｅＮＢとＵＥが各セットの情報を事前に共有することができる。このとき、ｅＮＢは、ＵＥの使用する静的ＳＩＢパラメータセットのインデックスを知らせることによって、全体ＳＩＢパラメータのうち、静的ＳＩＢパラメータ部分に関する情報を知らせることができる。また、ｅＮＢはＵＥにＳＩＢパラメータのうちの動的ＳＩＢパラメータ部分を知らせるために、ＵＥにＳＩＢの動的ＳＩＢパラメータ部分に対する値を直接知らせることができる。ＵＥは、受信したＳＩＢセットインデックスと動的ＳＩＢパラメータの値から全体ＳＩＢの情報がわかる。
【０１６７】
静的ＳＩＢパラメータのセットの個数は１個であってもよい。静的ＳＩＢパラメータセットの個数が１の場合、ＵＥはｅＮＢからＳＩＢセットインデックスを受信する必要がなく、動的ＳＩＢパラメータの値のみを受信してもよい。ＵＥは、自身の知っている静的ＳＩＢパラメータ及びｅＮＢから受信した動的ＳＩＢパラメータ値を用いて全ＳＩＢ情報を得ることができる。
【０１６８】
（方法Ａ−３）インデックス方法＋一部の再送信方法）
図１１及び図１２は、本発明の一実施例に係るパラメータの縮小のための更に他の方法を例示する図である。
【０１６９】
ｅＮＢが、カバレッジ問題が存在するＭＴＣ  ＵＥにＳＩＢを送信する更に他の方法として、本発明では、インデックス方法及びＳＩＢパラメータを直接送信する他の方法Ａ−３を提案する。方法Ａ−３は、方法Ａ−２と同様に、インデックスとＳＩＢパラメータ値を直接送信するが、ＳＩＢパラメータ値を方法Ａ−２とは異なる方式で送信する。本発明の方法Ａ−３で、特定ＳＩＢに対して方法Ａ−１と同様に、互いに異なるパラメータ値を有す複数のＳＩＢセットが設定されてもよく、ｅＮＢとＵＥは、ＳＩＢセットに関する情報を事前に共有することができる。このとき、図１１に示すように、ｅＮＢはＵＥにＳＩＢセットインデックスを知らせることによって、ＵＥの使用するＳＩＢパラメータ値を知らせることができる。また、ｅＮＢはＵＥにさらに、ＳＩＢパラメータの値とこの値が意味するＳＩＢパラメータの位置を知らせることによって、ＳＩＢセットインデックスが示すＳＩＢパラメータのうちの一部パラメータの値を変更して使用するようにすることができる。すなわち、ＵＥはｅＮＢから‘ＳＩＢセットインデックス値’、‘値が変更されるパラメータの位置’，‘変更されたＳＩＢパラメータの値’に関する情報を受信する。これを受信したＵＥは、図１１に示すように、インデックスが示すＳＩＢセットパラメータのうち、‘値が変更されるＳＩＢパラメータの位置’に該当する一部のパラメータの値を‘変更されたＳＩＢパラメータの値’に変更することができる。
【０１７０】
‘値が変更されるパラメータの位置’と‘変更されたパラメータの値’は、例えば、図１２のようなフォーマットを用いてＵＥに通知することができる。例えば、図１２を参照すると、‘値が変更されるパラメータの位置’はビットマップ方式を用いて通知し、続いて、‘変更されたパラメータの値’を通知することができる。例えば、全体パラメータの個数が１０個である場合、これら１０個のパラメータの各値は、ＳＩＢセットインデックスを用いて通知し、該ＳＩＢセットインデックスに対応する１０個のパラメータ値のうち、変更されるパラメータの位置と値を通知することができる。１０個パラメータ値のうち、変更されるパラメータの位置は、１０個のビットで構成されたビットマップを用いて通知することができる。図１２に示すように、パラメータ１とパラメータ５が変更されるパラメータであれば、ｅＮＢは、パラメータ１とパラメータ５に対応するビットを１にし、残りのビットを０にしたビットマップと、パラメータ１のための（新しい）値と、パラメータ５のための（新しい）値とをＵＥに送信することができる。
【０１７１】
ｅＮＢとＵＥが共有しているＳＩＢセット個数は１個であってもよい。この場合、ＵＥはｅＮＢからＳＩＢセットインデックスを受信する必要がなく、‘値が変更されるパラメータの位置’と‘変更されたパラメータの値’に関する情報のみをｅＮＢから受信してもよい。ＵＥは、自身の知っているＳＩＢパラメータと、ｅＮＢから受信した‘値が変更されるパラメータの位置’及び‘変更されたパラメータの値’を用いて全体ＳＩＢ情報を得ることができる。
【０１７２】
参考として、ＲＲＣの場合には、全てのＲＲＣパラメータに対するデフォルト値が設定されていると仮定することができる。したがって、ＲＲＣパラメータをＵＥが受信できなかったとき、ＵＥはデフォルトパラメータ値を用いて動作できると仮定する。全てのＲＲＣパラメータに対してインデックスが与えられていると仮定し、ｅＮＢはデフォルト値を他の値に変更する場合、＜インデックス、新しい＿値＞の形態で個別ＲＲＣパラメータを変更することもできる。
【０１７３】
前述した説明では、ＭＩＢパラメータ、ＳＩＢパラメータ及びＲＲＣパラメータを区別して使用したが、ＭＩＢが含むパラメータ及びＳＩＢが含むパラメータは、上位層であるＲＲＣ層によって設定される情報であることから、上位層パラメータ或いはＲＲＣ層パラメータと総称することもできる。
【０１７４】
（Ｂ．ＳＩＢ、セル−特定的ＲＲＣ、ＵＥ−特定的ＲＲＣの送信）
前述した本発明の実施例Ａは、上位層信号のコンテンツを構成する方法に関するものといえる。本発明の実施例Ａの方法の少なくとも１つによって構成された上位層信号は、次のような本発明の実施例Ｂによる方法のいずれか一つ又は少なくとも１つを用いて物理層チャネルで送信することができる。或いは、本発明の実施例Ａは実施せず、以下に説明される本発明の実施例Ｂによる方法を独立して実施することもできる。例えば、既存の定義によって設定されたＭＩＢ、ＳＩＢ、ＲＲＣメッセージなどを本発明の実施例Ｂの方法の少なくとも１つによってＵＥに送信することができる。
【０１７５】
（ＰＢＣＨでの送信）
ｅＮＢがＳＩＢパラメータ、ＲＲＣパラメータなどのセル−特定的上位層信号をＭＴＣ  ＵＥに送信する場合、レガシーＵＥに送信する方式と同様に送信するようになると、カバレッジ問題の存在するＭＴＣ  ＵＥにとってはそれを受信する上で困難がある。これを解決するために、ｅＮＢは、ＭＴＣ  ＵＥに送信する一部又は全てのＳＩＢ又はセル−特定的ＲＲＣパラメータを、ＭＴＣ  ＵＥのための別のＰＢＣＨを介して送信することができる。換言すれば、ｅＮＢは、レガシーＵＥが使用するＰＢＣＨ（以下、レガシーＰＢＣＨ）ではなくＭＴＣ  ＵＥのためにレガシーＰＢＣＨとは別に指定されたＰＢＣＨを介して、ＭＴＣ  ＵＥのＳＩＢパラメータ、セル−特定的ＲＲＣパラメータなどのセル−特定的上位層信号を送信することができる。以下では、ＭＴＣ  ＵＥのみのために使われるＰＢＣＨをＭＴＣ−ＰＢＣＨと称する。
【０１７６】
ＭＴＣ−ＰＢＣＨは、レガシーＰＢＣＨが搬送するシステム情報の他に、ＳＩＢパラメータ及び／又はセル−特定的ＲＲＣパラメータの全部或いは一部をさらに搬送することができる。ＭＴＣ−ＰＢＣＨを介して送信される上位層信号、すなわち、ＭＴＣ  ＵＥのためのＳＩＢパラメータ、セル−特定的ＲＲＣパラメータなどのセル−特定的上位層信号は、本発明の実施例Ａの、方法Ａ−１、方法Ａ−２及びＡ−３のうちの一つによって設定することができる。
【０１７７】
一方、ＭＴＣ−ＰＢＣＨは、レガシーＰＢＣＨが搬送するシステム情報（表４参照）に加えて、ＰＲＡＣＨ送信に関連したパラメータをさらに搬送することができる。ＰＲＡＣＨ送信に関連したパラメータには、１）任意接続チャネルパラメータ（ＰＲＡＣＨ設定及び周波数位置）、２）Ｐｃｅｌｌのためのプリアンブルシーケンスセットの中からルートシーケンス及びこれらの循環遷移を決定するためのパラメータ（論理ルートシーケンスインデックス、循環遷移（ＮＣＳ）及びセットタイプ（制限されていない（ｕｎｒｅｓｔｒｉｃｔｅｄ）セット或いは制限された（ｒｅｓｔｒｉｃｔｅｄ）セット））がある。ＰＲＡＣＨ送信関連パラメータに関するより詳細な事項については、標準３ＧＰＰ  ＴＳ３６．２１１を参照することができる。
【０１７８】
このようなＰＲＡＣＨ送信関連パラメータは、独立してＭＴＣ−ＰＢＣＨを介して送信されてもよく、前述したＳＩＢセットに含まれてＭＴＣ−ＰＢＣＨ上で送信されてもよい。
【０１７９】
カバレッジ問題が存在するＭＴＣ  ＵＥのためのＳＩＢ又はセル−特定的ＲＲＣパラメータなどのセル−特定的上位層信号は、レガシーＵＥのためのセル−特定的上位層信号が送信されるＰＤＳＣＨとは別のＰＤＳＣＨ領域を通して送信することができる。このとき、ｅＮＢは、ＭＴＣ−ＰＢＣＨで、カバレッジ問題があるＭＴＣ  ＵＥのためのＳＩＢ又はセル−特定的ＲＲＣパラメータなどのセル−特定的上位層信号を搬送するリソースの位置（例、サブフレーム位置、ＲＢ位置）情報を含むことができる。
【０１８０】
カバレッジ強化が必要なＭＴＣ  ＵＥのために、本発明の実施例Ａで提案した縮小された（ｓｈｏｒｔｅｎｅｄ）ＳＩＢ、ＲＲＣパラメータなどを用いることができる。例えば、カバレッジ強化が必要なＭＴＣ  ＵＥを支援（ｓｕｐｐｏｒｔ）するためのデータをマルチメディアブロードキャストマルチキャスト単一周波数ネットワーク（ｍｕｌｔｉｍｅｄｉａ  ｂｒｏａｄｃａｓｔ  ｍｕｌｔｉｃａｓｔ  ｓｅｒｖｉｃｅ  ｓｉｎｇｌｅ  ｆｒｅｑｕｅｎｃｙ  ｎｅｔｗｏｒｋ、ＭＢＳＦＮ）サブフレームなどのみで送信できるとすれば、ＭＩＢ（Ｍａｓｔｅｒ  Ｉｎｆｏｒｍａｔｉｏｎ  Ｂｌｏｃｋ）は、例えば、次のようなパラメータを含むことができる。
【０１８１】
【表１０】
0006284951.tif 000025
【０１８２】
表１０で‘ｍｂｓｆｎ−ＳｕｂｆｒａｍｅＣｏｎｆｉｇＬｉｓｔ’は、下りリンクでＭＢＳＦＮのために予約された（ｒｅｓｅｒｖｅｄ）サブフレームを定義する。参考として、ＭＢＳＦＮは、ＭＢＳＦＮ区域（ａｒｅａ）に属している全てのノード（ｎｏｄｅ）で無線リソースの同期を取って同一データを同一時間に同時に送信する技術である。ＭＢＳＦＮ区域とは、１つのＭＢＳＦＮがカバーする区域を意味する。ＭＢＳＦＮによれば、ＵＥは、該ＵＥが接続したノードのカバレッジ（ｃｏｖｅｒａｇｅ）の境界に位置しても、隣接ノードの信号が干渉として作用せず利得として作用する。すなわち、ＭＢＳＦＮは、ＭＢＭＳ送信のために単一周波数ネットワーク（ｓｉｎｇｌｅ  ｆｒｅｑｕｅｎｃｙ  ｎｅｔｗｏｒｋ、ＳＦＮ）機能を導入し、ＭＢＭＳ送信途中の周波数スイッチングによるサービス干渉を減らすようにする。このため、ＭＢＳＦＮ区域内で、ＵＥは、複数のノードが送信するＭＢＭＳデータを一つのノードが送信するものと認識し、この区域ではＵＥが移動しても別のハンドオーバー手順無しでシームレスな放送サービスを受けることができる。また、ＭＢＳＦＮでは複数のノードが同時に同期した送信を行うために単一周波数を用いることによって、周波数リソースを節約し、スペクトル効用を高めることができる。各ＭＢＳＦＮサブフレームは、時間ドメインで非−ＭＢＳＦＮ領域（ｎｏｎ−ＭＢＳＦＮ  ｒｅｇｉｏｎ）とＭＢＳＦＮ領域（ＭＢＳＦＮ  ｒｅｇｉｏｎ）とに区別される。非−ＭＢＳＦＮ領域は、ＭＢＳＦＮサブフレームにおける１個或いは２個の先頭ＯＦＤＭシンボルをスパン（ｓｐａｎ）し、ＭＢＳＦＮサブフレームにおいてＭＢＳＦＮ領域は、非−ＭＢＳＦＮ領域のために用いられていないＯＦＤＭシンボルとして定義される。非−ＭＢＳＦＮ領域を構成するＯＦＤＭシンボルの個数は、当該搬送波がＰＤＳＣＨを支援するか否か、セル−特定的アンテナポートの個数及び／又は当該サブフレームフレーム構造タイプ２のサブフレームのサブフレーム１及び６に該当するか否かなどによって定義される。
【０１８３】
表１０を参照すると、ＭＩＢは、必要なＳＦＮとＭＢＳＦＮに関する情報を含むことができる。ＭＢＳＦＮのためのサブフレームに関する情報は、サブフレームのセットを示す（例えば、ＦＤＤにおいて４０個の連続したサブフレームのうち、特定用途によってＭＢＳＦＮのために使用できないサブフレームを除く残りのサブフレームに一対一で対応するビットを用いて各サブフレームがＭＢＳＦＮのために予約されるか否かを示す）のではなく、本発明の実施例Ａによって、複数個のＭＢＳＦＮ設定（ｃｏｎｆｉｇｕｒａｔｉｏｎ）セットがＵＥに事前に共有されたと仮定し、これらのＭＢＳＦＮ設定セットのうちの一つのインデックスがＭＢＳＦＮパラメータに設定されてもよい。この場合、表１０は、次の表のように変形されてもよい。
【０１８４】
【表１１】
0006284951.tif 000026
【０１８５】
表１１を参照すると、本発明によって、複数のＭＢＳＦＮサブフレーム設定を事前にｅＮＢとＵＥ間に共有し、実際にＵＥがＭＢＳＦＮのために自身のシステムを設定する際に考慮すべきＭＢＳＦＮサブフレーム設定を、上記複数のＭＢＳＦＮサブフレーム設定のうちの一つを示す‘ｍｂｓｆｎ−ＳｕｂｆｒａｍｅＣｏｎｆｉｇＩｎｄｅｘ’によって指定することができる。
【０１８６】
図１及び図３を参照すると、レガシーＰＢＣＨが毎無線フレームのサブフレーム０〜９のうち、一番目のサブフレーム（すなわち、サブフレーム０）で送信されるように設定されているため、レガシーＵＥへの影響（ｉｍｐａｃｔ）を減らすために、カバレッジ強化のためのＭＴＣ−ＰＢＣＨは毎無線フレームの六番目のサブフレーム（すなわち、サブフレーム５）で或いは毎無線フレームの一番目及び六番目で送信されるように設定することができる。毎無線フレームの一番目のサブフレームにＭＴＣ−ＰＢＣＨが設定される場合、レガシーＰＢＣＨ領域（すなわち、一番目のサブフレームの第二のスロットにおけるＯＦＤＭシンボル０〜３）を避けてＭＴＣ−ＰＢＣＨを設定することができる。また、ＣＲＳとの衝突が最大限に回避され得るようにＭＴＣ−ＰＢＣＨを設定することもできる。例えば、正規ＣＰの場合には、無線フレームの一番目のサブフレームの第一のスロットにおけるＯＦＤＭシンボル２〜３と、第二のスロットにおけるＯＦＤＭシンボル５〜６内にＭＴＣ−ＰＢＣＨを設定したり、第一のスロットにおけるＯＦＤＭシンボル２〜４内にＭＴＣ−ＰＢＣＨを設定することができる。拡張ＣＰの場合、例えば、無線フレームの一番目のサブフレームの第一のスロットにおけるＯＦＤＭシンボル１〜３内にＭＴＣ−ＰＢＣＨを設定することができる。
【０１８７】
ＭＴＣ  ＵＥは、自身がカバレッジ強化を必要とするＵＥであるという事実を判断するために、ＰＳＳ／ＳＳＳを受信するためにかかる時間（ｔｉｍｅ）、サブフレームの個数及び／又はＰＳＳ／ＳＳＳの個数などの情報を活用することができる。このような情報を活用して、自身がカバレッジ強化を必要とするＵＥであると判断すれば、レガシーＰＢＣＨではなくＭＴＣ−ＰＢＣＨを介して上位層信号を受信することができる。又は、ＭＴＣ  ＵＥが、自身がカバレッジ強化を必要とするＵＥであるという事実を知らない場合、レガシーＰＢＣＨ受信とＭＴＣ−ＰＢＣＨの受信の両方を試みることができる。例えば、レガシーＰＢＣＨ領域を通してＰＢＣＨを受信できなかったＭＴＣ  ＵＥは、ＭＴＣ−ＰＢＣＨ領域を通してＰＢＣＨの受信を試みることができる。
【０１８８】
（ＰＤＳＣＨへの送信）
図１３及び図１４は、本発明の一実施例に係る上位層送信方法を例示する図である。
【０１８９】
ｅＮＢがＳＩＢ、ＲＲＣパラメータなどの上位層信号をＭＴＣ  ＵＥに送信する場合、レガシーＵＥに送信する方式と同様に送信すると、カバレッジ問題が存在するＭＴＣ  ＵＥにとってはそれを受信する上で困難がある。これを解決するために、ｅＮＢは、レガシーＵＥのためのＳＩＢ、ＲＲＣパラメータなどの上位層信号を送信するＰＤＳＣＨ領域とは別のＰＤＳＣＨ領域を通して、カバレッジ問題が存在するＭＴＣ  ＵＥに、ＳＩＢ、ＲＲＣパラメータなどの上位層信号を送信することができる。例えば、図１３に示すように、レガシーＵＥのためのＳＩＢを搬送するＰＤＳＣＨとは別に、全体ＭＴＣ  ＵＥ又はカバレッジ問題が存在するＭＴＣ  ＵＥのためのＳＩＢを搬送するＰＤＳＣＨを設定することができる。ＭＴＣ  ＵＥは、ＭＴＣ  ＵＥのみのためのＳＩＢを搬送するＰＤＳＣＨを受信することによって、ＳＩＢ情報を受信することができる。ＭＴＣ  ＵＥのためのＰＤＳＣＨがマップされるＲＢは予め定義されてもよく、或いはＰＤＣＣＨを介してＭＴＣ  ＵＥにシグナルされてもよい。
【０１９０】
レガシーＵＥのためのＰＤＳＣＨとは別に設定されたＰＤＳＣＨを介して送信されるＭＴＣ  ＵＥのためのＳＩＢパラメータ又はＲＲＣパラメータは、既存のＳＩＢパラメータ又はＲＲＣパラメータを直接送信する方式とは異なる方式で縮小して送信されてもよい。例えば、本発明の実施例Ａによって、ＳＩＢ及び／又はセル−特定的ＲＲＣ情報の量が縮小された上位層信号が、レガシーＵＥのための上位層信号を搬送するＰＤＳＣＨとは別のＰＤＳＣＨを介して送信されてもよい。
【０１９１】
また、カバレッジ問題が存在するＭＴＣ  ＵＥのみのためのＳＩＢ、ＲＲＣパラメータなどの上位層信号を搬送するＰＤＳＣＨには、サブフレーム反復（ｓｕｂｆｒａｍｅ  ｒｅｐｅｔｉｔｉｏｎ）、サブフレームバンドリング（ｓｕｂｆｒａｍｅ  ｂｕｎｄｌｉｎｇ）、ＲＳ密度増加（ＲＳ  ｄｅｎｓｉｔｙ  ｉｎｃｒｅａｓｉｎｇ）などの、カバレッジ強化のための技法を適用することができる。
【０１９２】
例えば、カバレッジ問題が存在する場合、ｅＮＢは、ＰＤＳＣＨのカバレッジ強化のために複数個のサブフレームにわたってＰＤＳＣＨを反復して送信することによって、ＵＥにとって複数個のサブフレームにわたって反復して受信された（弱い）ＰＤＳＣＨ信号を結合（ｃｏｍｂｉｎｅ）或いは連結して復号できるようにすることができる。換言すれば、本発明に係るカバレッジ問題があるＵＥのためのＰＤＳＣＨは、複数のサブフレームのそれぞれで送信され、結果として複数のサブフレームにわたって反復して送信されるようにすることができる。ＵＥは、複数のサブフレームの集合であるサブフレームバンドルから受信したＰＤＳＣＨ信号を共に用いてＰＤＳＣＨを成功的に受信することができる。ｅＮＢがカバレッジ問題があるＵＥのためのＰＤＳＣＨを反復送信するサブフレームは、図１４に示すように、ＰＤＳＣＨバンドル送信周期、ＰＤＳＣＨバンドル送信オフセット、ＰＤＳＣＨバンドル大きさ‘Ｄ’によって予約することができる。
【０１９３】
図１４を参照すると、ＰＤＳＣＨバンドル送信周期は、ＰＤＳＣＨバンドル送信が適用される周期、すなわち、ＰＤＳＣＨ送信のためにバンドルされたサブフレームが設定される周期を表すことができる。バンドルされたサブフレームとは、同一の信号／データの送信に用いられる複数のサブフレームの集合を意味する。バンドル送信のためのバンドルされたサブフレームは、一度だけ適用されてもよく、所定個数のフレーム／サブフレームごとに反復適用されてもよい。このため、ＰＤＳＣＨバンドル送信のためにサブフレームが一度だけバンドルされてもよく、ＰＤＳＣＨバンドル送信周期ごとにＰＤＳＣＨバンドル送信のためのサブフレームでＰＤＳＣＨがバンドル送信されてもよい。
【０１９４】
ＰＤＳＣＨバンドル送信オフセットは、ＰＤＳＣＨ送信のためにバンドルされたサブフレームが始まる位置を表すことができる。例えば、ＰＤＳＣＨバンドル送信オフセットは、所定個数の無線フレームにおけるサブフレーム或いはＰＤＳＣＨバンドル周期に属したサブフレームの中で何番目のサブフレームでＰＤＳＣＨバンドル送信が始まるかを示す情報であってもよい。ＰＤＳＣＨバンドル大きさ‘Ｄ’は、１回のＰＤＳＣＨバンドル送信周期に属したサブフレームのうち、バンドルされるサブフレームの個数に該当し得る。連続した下りリンクサブフレームがバンドルされると仮定すれば、ＰＤＳＣＨ送信のためのサブフレームは、ＰＤＳＣＨバンドル送信オフセットとＰＤＳＣＨバンドル大きさによって指定されてもよく、ＰＤＳＣＨバンドル送信オフセット及びＰＤＳＣＨバンドル大きさの代わりに、一定期間或いはＰＤＳＣＨバンドル周期に対応するサブフレームに一対一で対応するビットで構成されたビットマップを用いてＰＤＳＣＨ反復送信のためのサブフレームが予約されてもよい。
【０１９５】
ＰＤＳＣＨバンドル送信のためのサブフレームは、予め設定されており、上位層信号或いは物理層信号によって活性化或いは非活性化されてもよい。ＰＤＳＣＨバンドル送信のためのサブフレームが活性化されると、本発明のＵＥ／ｅＮＢは、これらのサブフレームのそれぞれでＰＤＳＣＨを受信／送信することができる。
【０１９６】
ＰＤＳＣＨバンドル送信のためにバンドルされたサブフレーム内でＰＤＳＣＨ送信に用いられるＲＢは、前述したとおり、予め定義されていてもよく、ＲＲＣ信号などの上位層信号によってＵＥに設定されてもよい。ＭＴＣ  ＵＥは、ＰＤＳＣＨバンドル送信周期、ＰＤＳＣＨバンドル送信オフセット及び／又はＰＤＳＣＨバンドル大きさを含むサブフレーム設定情報に基づいて、ＰＤＳＣＨ送信用サブフレームのそれぞれにおいてＭＴＣ  ＵＥのためのＰＤＳＣＨがマップされたＲＢ上でＰＤＳＣＨ信号を受信し、これらＰＤＳＣＨ信号の一部或いは全部を用いてＰＤＳＣＨを復号することによって、本発明に係る上位層信号を取得することができる。
【０１９７】
ｅＮＢは、チャネル状況に合うデータ及び信号をＭＴＣ  ＵＥに送信するために、カバレッジ問題が存在するＭＴＣ  ＵＥとそうでないＭＴＣ  ＵＥとを区別する必要がある。また、ＭＴＣ  ＵＥは、自身がカバレッジ問題の存在するＵＥであるか或いはそうでないＵＥであるかを知る要がある。ｅＮＢは、ＵＥがＰＲＡＣＨを送信するまではＵＥの存在を知らない。ＵＥがＳＩＢを初めて受信するまでは、ｅＮＢがＵＥの存在を知らないはずであるため、ＭＴＣ  ＵＥが自身にカバレッジ問題があるかを自分で判断できることが好ましい。自身にカバレッジ問題があると判断すると、ＭＴＣ  ＵＥは、カバレッジ強化技法を適用してＰＲＡＣＨを送信することによって、自身がカバレッジ問題があるものであることをｅＮＢに知らせることができる。一方、カバレッジ問題のあるＵＥが、自分がカバレッジ問題のあるＵＥであることを、カバレッジ強化を適用したＰＲＡＣＨ送信などを用いてｅＮＢに知らせたりｅＮＢへの初期接続を完了するまでは、ｅＮＢは、カバレッジ問題があるＵＥの存在有無を知らず、よって、ｅＮＢは、（カバレッジ問題があるＭＴＣ  ＵＥを認識できない状態であっても）カバレッジ強化ＭＴＣ  ＵＥのためのＳＩＢを送信することが好ましい。ＵＥがＰＲＡＣＨを送信し、ｅＮＢへの初期接続が完了すると、ＵＥのカバレッジ問題の存在有無、カバレッジ強化レベルなどを（ＲＲＭ情報などから）ｅＮＢが判断してＵＥに知らせることができるだろう。ＭＴＣ  ＵＥが、自身がカバレッジ問題の存在するＵＥであるか或いはそうでないＵＥであるかを知るために、ＭＴＣ  ＵＥの物理層（ｐｈｙｓｉｃａｌ  ｌａｙｅｒ）では次のような情報の少なくとも１つを（自身の）上位層に知らせる必要がある。
【０１９８】
・  ＰＳＳ／ＳＳＳを成功的に受信するために必要な時間、サブフレームの個数及び／又はＰＳＳ／ＳＳＳの個数
・  ＰＢＣＨを成功的に受信するために必要な時間、サブフレームの個数、ＰＢＣＨの個数
・  無線リソース管理（ｒａｄｉｏ  ｒｅｓｏｕｒｃｅ  ｍａｎａｇｅｍｅｎｔ）を行って得た結果（例、参照信号受信電力（ｒｅｆｅｒｅｎｃｅ  ｓｉｇｎａｌ  ｒｅｃｅｉｖｅｄ  ｐｏｗｅｒ、ＲＳＲＰ））
・  レガシーＵＥと同様の方式でＳＩＢを成功的に受信するために必要な時間及び／又はサブフレームの個数、或いは特定時間期間に試みられたＳＩＢ受信の成否を示す情報
（ＵＥの）上位層は、上記のような情報から、当該ＵＥがカバレッジ問題の存在するＵＥであるか否かを判断することができる。これを判断した上位層は、次のような情報を（自身の）物理層に知らせることができる。
【０１９９】
・  当該ＵＥがカバレッジ問題が存在するＵＥであることを知らせる指示子（ｉｎｄｉｃａｔｏｒ）：この指示子の値が０なら、ＵＥにカバレッジ問題が存在しないことを示し、１なら、ＵＥにカバレッジ問題が存在することを示すことができる。
【０２００】
・  ＵＥがＳＩ−ＲＮＴＩを用いるか或いはＭＴＣ−ＳＩ−ＲＮＴＩを用いるかを知らせる指示子：この指示子の値が０なら、ＵＥはシステム情報を受信するために既存のＳＩ−ＲＮＴＩ（ｓｙｓｔｅｍ  ｉｎｆｏｒｍａｔｉｏｎ  ＲＮＴＩ）を用い、この指示子の値が１なら、ＵＥはシステム情報を受信するためにＭＴＣ−ＳＩ−ＲＮＴＩを用いる。このとき、ＭＴＣ−ＳＩ−ＲＮＴＩは、事前に特定値と定義されてもよく、又は、ｅＮＢがＭＴＣ−ＳＩ−ＲＮＴＩをＭＩＢに乗せてＵＥに知らせてもよい。
【０２０１】
・  ＵＥがＳＩ−ＲＮＴＩに代えて使用するＭＴＣ−ＳＩ−ＲＮＴＩに対する値：例）ＵＥにカバレッジ問題が存在する場合、ＳＩ−ＲＮＴＩに代えて使用するＭＴＣ−ＳＩ−ＲＮＴＩの値を知らせることができる。
【０２０２】
これに基づいて、ＵＥは、自身がカバレッジ問題が存在するＵＥであるか否かを判断し、さらに、ＳＩＢなどの受信のためにＭＴＣ−ＳＩ−ＲＮＴＩを使用すべきか否かを認識することができる。
【０２０３】
ＲＲＭについて説明すると、ＲＲＭは、ＵＥに移動性経験（ｍｏｂｉｌｉｔｙ  ｅｘｐｅｒｉｅｎｃｅ）を提供することによって、重大なユーザ介入無しにもＵＥ及びネットワークが移動性をシームレスに（ｓｅａｍｌｅｓｓｌｙ）管理するようにし、利用可能な無線リソースの効率的使用を保障し、ｅＮＢが予め定義された無線リソース関連要求（ｒａｄｉｏ  ｒｅｓｏｕｒｃｅ  ｒｅｌａｔｅｄ  ｒｅｑｕｉｒｅｍｅｎｔ）を満たすようにするメカニズム（ｍｅｃｈａｎｉｓｍ）を提供することを目的とする。シームレスな移動性を支援するためにＵＥによって行われる主な過程には、セル探索（ｃｅｌｌ  ｓｅａｒｃｈ）、測定（ｍｅａｓｕｒｅｍｅｎｔｓ）、ハンドオーバー（ｈａｎｄｏｖｅｒ）及びセル再探索（ｃｅｌｌ  ｒｅｓｅｌｅｃｔｉｏｎ）などがある。ｅＮＢはＲＲＭのためにＵＥに適用可能な測定設定（ｍｅａｓｕｒｅｍｅｎｔ  ｃｏｎｆｉｇｕｒａｔｉｏｎ）を提供することができる。例えば、ｅＮＢは、ＲＲＭのために、測定対象（ｍｅａｓｕｒｅｍｅｎｔ  ｏｂｊｅｃｔ）、報告設定（ｒｅｐｏｒｔｉｎｇ  ｃｏｎｆｉｇｕｒａｔｉｏｎ）、測定識別子（ｍｅａｓｕｒｅｍｅｎｔ  ｉｄｅｎｔｉｔｙ）、量設定（ｑｕａｎｔｉｔｙ  ｃｏｎｆｉｇｕｒａｔｉｏｎ）、測定ギャップ（ｍｅａｓｕｒｅｍｅｎｔ  ｇａｐ）を含む測定設定をＵＥに送信し、ＵＥによる測定をトリガーすることができる。測定対象は、ＵＥが測定を行うべき対象であって、例えば、イントラ−周波数及びインター−周波数測定のための単一Ｅ−ＵＴＲＡ搬送波周波数、インター−ＲＡＴ（Ｒａｄｉｏ  Ａｃｃｅｓｓ  Ｔｅｃｈｎｏｌｏｇｙ）ＵＴＲＡ測定のための単一ＵＴＲＡ周波数、インター−ＲＡＴ  ＧＥＲＡＮ測定のためのＧＥＲＡＮ搬送波周波数の集合、インター−ＲＡＴ  ＣＤＭＡ２０００の測定のための単一搬送波周波数上のセルの集合を含むことができる。イントラ−周波数測定は、サービングセルの下りリンク搬送波周波数での測定を意味し、インター−周波数測定は、サービングセルの下りリンク搬送波周波数のうち、任意の下りリンク搬送波周波数と他の周波数での測定を意味する。報告設定は、報告設定のリストであって、各報告設定は、ＵＥが測定報告を送ることをトリガーする条件（ｃｒｉｔｅｒｉｏｎ）を表す報告条件（ｒｅｐｏｒｔｉｎｇ  ｃｒｉｔｅｒｉｏｎ）、及びＵＥが上記測定報告に測定して含めるべき量（ｑｕａｎｔｉｔｉｅｓ）及び関連情報を表す報告フォーマット（ｒｅｐｏｒｔｉｎｇ  ｆｏｒｍａｔ）で設定される。測定識別子は、測定識別子のリストであって、各測定識別子は、一つの測定対象と一つの報告設定をリンク（ｌｉｎｋ）する。複数の測定識別子を設定することによって、一つ以上の報告設定を同一の測定対象にリンクするだけでなく、一つ以上の測定対象を同一の報告設定にリンクすることができる。測定識別子は、測定報告において参照番号として用いられる。量設定は、全てのイベント推定（ｅｖｅｎｔ  ｅｖａｌｕａｔｉｏｎ）及び当該測定タイプの関連報告のために用いられる、測定量及び関連フィルタリング（ｆｉｌｔｅｒｉｎｇ）を定義する。一つのフィルター（ｆｉｌｔｅｒ）を測定量ごとに設定することができる。測定ギャップは、何らのＵＬ／ＤＬ送信���スケジューリングされておらず、ＵＥが測定を行うために使用できる期間（ｐｅｒｉｏｄ）を表す。上記の測定設定を受信したＵＥは、測定対象として指定された搬送波周波数上のＣＲＳを用いて参照信号受信電力（ｒｅｆｅｒｅｎｃｅ  ｓｉｇｎａｌ  ｒｅｃｅｉｖｅｄ  ｐｏｗｅｒ、ＲＳＲＰ）測定及び参照信号受信品質（ｒｅｆｅｒｅｎｃｅ  ｓｉｇｎａｌ  ｒｅｃｅｉｖｅｄ  ｑｕａｌｉｔｙ、ＲＳＲＱ）測定を行う。ＲＳＲＰ測定は、セル−特定的信号強度メトリック（ｍｅｔｒｉｃ）を提供する。ＲＳＲＰ測定は、主に、信号強度によって候補セル（或いは、候補ＣＣ）の順位を定めるために用いられたり、ハンドオーバー及びセル再選択決定のための入力として用いられる。ＲＳＲＰは、考慮された（ｃｏｎｓｉｄｅｒｅｄ）周波数帯域幅内でＣＲＳを搬送するＲＥの電力分布（ｐｏｗｅｒ  ｃｏｎｔｒｉｂｕｔｉｏｎ）に対する線形平均として特定セル（或いは、特定ＣＣ）に対して定義される。ＲＳＲＱは、セル−特定的信号品質メトリックを提供するためのものであって、ＲＳＲＰと同様に、主に、信号品質によって候補セル（或いは、候補ＣＣ）の順位を定めるために用いられる。例えば、ＲＳＲＰ測定が、信ずべき移動性決定を行えるような情報を提供できないとき、ＲＳＲＱをハンドオーバー及びセル再選択のための入力として用いることができる。ＲＳＲＱは、“Ｎ＊ＲＳＲＰ／ＲＳＳＩ”と定義され、ここで、Ｎは、ＲＳＳＩ測定帯域幅のＲＢの個数を表す。受信信号強度指示子（ｒｅｃｅｉｖｅｄ  ｓｉｇｎａｌ  ｓｔｒｅｎｇｔｈ  ｉｎｄｉｃａｔｏｒ、ＲＳＳＩ）は、測定帯域幅内、コ−チャネルサービング及び非サービングセルを含む全てのソース（ｓｏｕｒｃｅ）からＵＥによって観察された総受信広帯域（ｗｉｄｅｂａｎｄ）電力、隣接チャネル干渉（ａｄｊａｃｅｎｔ  ｃｈａｎｎｅｌ  ｉｎｔｅｒｆｅｒｅｎｃｅ）、熱雑音（ｔｈｅｒｍａｌ  ｎｏｉｓｅ）などを含むあらゆる種類の電力として定義される。このため、ＲＳＲＱは、ＵＥによって受信された全体電力に対する純粋ＲＳ電力の比を表すといえる。
【０２０４】
ＭＴＣ  ＵＥのためのＳＩＢ、セル−特定的ＲＲＣパラメータなどの、複数のＭＴＣ  ＵＥが同時に情報を受信すべきセル−特定的上位層信号が送信される場合、これらの上位層信号が送信されるＰＤＳＣＨ領域（例、ＰＤＳＣＨに割り当てられたＲＢ）をＭＴＣ  ＵＥに知らせる必要がある。そのための一方法として、ＵＥはＰＤＣＣＨから、ＵＥのためのセル−特定的上位層信号が送信されるＰＤＳＣＨ領域を把握することができる。このとき、カバレッジ問題が存在するＭＴＣ  ＵＥのためのＲＮＴＩであるＭＴＣ−ＳＩ−ＲＮＴＩが別途に予め定義されており、ｅＮＢは、当該ＭＴＣ−ＳＩ−ＲＮＴＩを用いてＰＤＣＣＨを送信することによって、ＭＴＣ  ＵＥのためのセル−特定的システム情報或いはセル−特定的上位層信号が送信されるＰＤＳＣＨ領域をＵＥに知らせることができる。例えば、ｅＮＢは、上記ＭＴＣ−ＳＩ−ＲＮＴＩを用いてＰＤＣＣＨをマスクしたり、上記ＭＴＣ−ＳＩ−ＲＮＴＩでスクランブルされたＣＲＣを付加してＰＤＣＣＨを送信することによって、カバレッジ強化モードと設定されたＵＥに、本発明に係る上位層信号を搬送するＰＤＣＣＨを知らせることができる。表１２には、現在用いられるＲＮＴＩを示し、表１３には、ＲＮＴＩの用途（ｕｓａｇｅ）を示す。
【０２０５】
【表１２】
0006284951.tif 000027
【０２０６】
【表１３】
0006284951.tif 000028
【０２０７】
ＲＡ−ＲＮＴＩは、任意接続プリアンブルが送信されたＰＲＡＣＨに基づいて定められる値である。表１２で、セルのＰＲＡＣＨ設定のＲＡ−ＲＮＴＩ値に対応する値は、他のＲＮＴＩ（Ｃ−ＲＮＴＩ、ＳＰＳ（Ｓｅｍｉ−Ｐｅｒｓｉｓｔｅｎｔ  Ｓｃｈｅｄｕｌｉｎｇ）Ｃ−ＲＮＴＩ、臨時Ｃ−ＲＮＴＩ、ＴＰＣ−ＰＵＣＣＨ−ＲＮＴＩ又はＴＰＣ−ＰＵＳＣＨ−ＲＮＴＩ）のために上記セルで用いられない。表１３で、ＭＡＣ層によって提供される論理チャネルであるＢＣＣＨ、ＰＣＣＨ、ＣＣＣＨ、ＤＣＣＨ、ＭＣＣＨ、ＤＴＣＨ、及びＭＴＣＨは、放送制御チャネル（ｂｒｏａｄｃａｓｔ  ｃｏｎｔｒｏｌ  ｃｈａｎｎｅｌ）、ページング制御チャネル（ｐａｇｉｎｇ  ｃｏｎｔｒｏｌ  ｃｈａｎｎｅｌ）、共通制御チャネル（ｃｏｍｍｏｎ  ｃｏｎｔｒｏｌ  ｃｈａｎｎｅｌ）、専用制御チャネル（ｄｅｄｉｃａｔｅｄ  ｃｏｎｔｒｏｌ  ｃｈａｎｎｅｌ）、マルチキャスト制御チャネル（ｍｕｌｔｉｃａｓｔ  ｃｏｎｔｒｏｌ  ｃｈａｎｎｅｌ）、専用トラフィックチャネル（ｄｅｄｉｃａｔｅｄ  ｔｒａｆｆｉｃ  ｃｈａｎｎｅｌ）及びマルチキャストトラフィックチャネル（ｍｕｌｔｉｃａｓｔ  ｔｒａｆｆｉｃ  ｃｈａｎｎｅｌ）をそれぞれ表す。
【０２０８】
表１２を参照すると、例えば、まだ使用されていないＦＦＦ４〜ＦＦＦＣのうちの一つの値を、カバレッジ問題を有するＭＴＣ  ＵＥのためのＳＩＢ或いはセル−特定的上位層信号を送信するためのＲＮＴＩ（すなわち、ＭＴＣ−ＳＩ−ＲＮＴＩ）として使用することができる。カバレッジ問題を有するＭＴＣ  ＵＥは、システム情報を受信するために、ＭＴＣ−ＳＩ−ＲＮＴＩを用いてＰＤＣＣＨを受信し、該ＰＤＣＣＨが示すＰＤＳＣＨ領域でシステム情報を受信することができる。
【０２０９】
又は、ｅＮＢは、カバレッジ問題を有するＭＴＣ  ＵＥのためのＳＩＢ又はセル−特定的ＲＲＣパラメータなどのセル−特定的上位層信号が送信されるリソースの位置（例、サブフレーム位置、ＲＢ位置）を知らせるために、該当の情報をＭＴＣ−ＰＢＣＨに含めて送信することもできる。
【０２１０】
又は、ＭＴＣ  ＵＥのためのＳＩＢ、セル−特定的ＲＲＣパラメータなどのセル−特定的上位層信号が送信されるＰＤＳＣＨ領域は、常に、全てのサブフレーム又は特定サブフレームの特定ＲＢで送信されるように固定又は設定されてもよい。この場合、カバレッジ問題を有するＭＴＣ  ＵＥは、ＰＤＣＣＨを受信しなくてもＳＩＢを読むことができる。このとき、特徴的に、ＭＴＣ  ＵＥのためのＳＩＢを搬送するＰＤＳＣＨが送信され得るサブフレームの位置は、次のとおりである。
【０２１１】
・  ４０ｍｓの期間（ｄｕｒａｔｉｏｎ）におけるサブフレーム０〜３９のうち、サブフレーム５及びサブフレーム２５で送信（特に、ＳＩＢ１の送信に該当し得る）
・  サブフレーム番号が５の倍数に位置するサブフレームで送信
例えば、ＳＩＢ１は、次のパラメータ（或いはフィールド）を含むことができる。
【０２１２】
【表１４】
0006284951.tif 000029
【０２１３】
表１５は、表１４のパラメータに関する説明を示すものである。
【０２１４】
【表１５】
0006284951.tif 000030
【０２１５】
既存のＳＩＢ１を読むために、ＵＥは、ＰＤＣＣＨをまず読まなければならない。カバレッジ強化を必要とするＵＥ、すなわち、カバレッジ強化のためのモードと設定されたＵＥにとってＰＤＣＣＨを読むことはオーバーヘッドであるから、カバレッジ強化のための特定モードのＵＥは、ＳＩＢ１は特定サブフレームの特定周波数リソース上で受信されると仮定することができる。カバレッジ問題を有するＭＴＣ  ＵＥがＰＤＣＣＨを受信しないでＳＩＢを読めるようにするために、一例として、ＵＥは、ＤＭＲＳ、例えば、ＵＥ−ＲＳが特定のシーケンスでスクランブルされていると、ＳＩＢ１が送信されたと仮定することができる。例えば、式８でｎＳＣＩＤ＝５（或いは、０、１及び２以外の定数）がスクランブリング識別子として用いられた場合、ＵＥは、ＳＩＢ１が受信されると仮定することができる。カバレッジ強化モードであるＵＥのためのＰＤＳＣＨ送信のための特定サブフレームは、ＭＢＳＦＮサブフレームにおける一番目、二番目、三番目及び四番目のサブフレームと指定することができ、ＰＤＳＣＨ送信のための特定ＲＢ位置は、例えば、中心の６個ＲＢと指定することができる。このようなサブフレーム位置及びＲＢ位置は、ＰＢＣＨを用いて指定することができる。ＳＩＢ１以外のＳＩＢも、指定された位置で受信されてもよく、ＳＩＢウィンドウが、これらのＳＩＢが受信される周期を指定することができる。例えば、カバレッジ強化が必要なＭＴＣ  ＵＥのためにＭＴＣ−ＳＩＢ２、…、ＭＴＣ−ＳＩＢ１０の送信が必要であると仮定する場合、ＵＥはＳＩＢｎの送信周期をＳＩＢウィンドウ＊（ｎ−１）或いはＳＩＢウィンドウ＊ｎと仮定することができる。或いは、ＳＩＢのウィンドウに関する情報が表として予め提供され、該表のインデックス値が送信されてもよい。例えば、次の表のように各ＳＩＢ（ＳＩＢ２，ＳＩＢ３，…）ごとに、当該ＳＩＢが送信される周期に対する値が予め定義されており、使用しようとする周期に対するインデックスが送信され、ＵＥに各ＳＩＢに対する送信周期が通知されてもよい。
【０２１６】
【表１６】
0006284951.tif 000031
【０２１７】
ＳＩＢ送信のためにＴＴＩバンドリングが用いられるように設定された場合、連続した複数のサブフレームにわたってＳＩＢが送信されるようにすることができる。ＴＴＩバンドリングが適用される場合、ＴＴＩバンドリングが適用されるサブフレームを、一つのバンドルされたサブフレームセットとすることができる。ＴＴＩバンドリングが設定されると、所定の個数（例、４個）の連続したサブフレームで同一データが反復して送信される。ただし、反復送信されるデータの重複バージョンは、反復回数によって異なってくる。ＴＴＩバンドル内で、ＨＡＲＱ再送信は非適応的（ｎｏｎ−ａｄａｐｔｉｖｅ）であり、以前送信からのフィードバックを待つことなくトリガされる。ＴＴＩバンドルのＨＡＲＱフィードバックは、該ＴＴＩバンドルの最後のＴＴＩのみに対して受信される。
【０２１８】
ＳＩＢが更新された場合、ｅＮＢは、ページング（ｐａｇｉｎｇ）メッセージを用いて更新指示（ｕｐｄａｔｅ  ｉｎｄｉｃａｔｉｏｎ）をＵＥに提供し、ＵＥにとってＳＩＢを更新できるように設定することができる。
【０２１９】
ｅＮＢは、カバレッジ問題が存在するＭＴＣ  ＵＥにＰＤＳＣＨ領域でＳＩＢ又はセル−特定的ＲＲＣ信号を送信するためにＭＴＣ−ＳＩ−ＲＮＴＩを用いることができる。又は、カバレッジ問題が存在するＵＥが固定したＰＤＳＣＨ領域でＳＩＢ又はセル−特定的ＲＲＣ信号を受信する場合、これを受信するためにＵＥはＭＴＣ−ＳＩ−ＲＮＴＩを用いることができる。例えば、次のような過程にＭＴＣ−ＳＩ−ＲＮＴＩを使用することができる。
【０２２０】
１）該当のＰＤＳＣＨの伝送ブロック又はコードブロックにおけるビットのスクランブリングに使用。
【０２２１】
２）該当のＰＤＳＣＨの伝送ブロック又はコードブロックにおけるビットへのＣＲＣ付加（ａｔｔａｃｈｍｅｎｔ）過程に使用
３）該当のＰＤＳＣＨのＲＢ領域で送信されるＵＥ−ＲＳを生成するための擬似−任意シーケンスをＭＴＣ−ＳＩ−ＲＮＴＩを用いてスクランブリング。
【０２２２】
過程１）と関連して、図８を参照すると、一つのサブフレームにおける物理チャネル上で送信される各コードワードのビットを、変調（３０２）に先立ってスクランブルする。コードワードｑに対するビット
【０２２３】
【化５】
0006284951.tif 000032
【０２２４】
のブロックは、次の式によってスクランブルし、スクランブルされたビット
【０２２５】
【化６】
0006284951.tif 000033
【０２２６】
のブロックとすることができる。ここで、Ｍ（ｑ）ｂｉｔは、コードワードｑにおけるビットの個数である。
【０２２７】
【数９】
0006284951.tif 000034
【０２２８】
ここで、スクランブリングシーケンスｃ（ｑ）（ｉ）は、式７によって与えられる。スクランブリングシーケンス生成器は、各サブフレームの開始で初期化され、ＰＤＳＣＨのための伝送ブロックの場合、初期化値ｃｉｎｉｔは、次の式によって与えられる。
【０２２９】
【数１０】
0006284951.tif 000035
【０２３０】
本発明で、カバレッジ強化モードで動作するＵＥは、式１０のｎＲＮＴＩにＭＴＣ−ＳＩ−ＲＮＴＩを適用することができる。
【０２３１】
過程２）と関連して、ＰＤＳＣＨを介して送信される伝送ブロックは、ＰＤＳＣＨにマップされる前に、伝送ブロックＣＲＣ付加、コードブロック分割（ｓｅｇｍｅｎｔａｔｉｏｎ）及びコードブロックＣＲＣ付加、チャネルコーディング、レートマッチング及びコードブロック連結（ｃｏｎｃａｔｅｎａｔｉｏｎ）などを含む伝送ブロック処理（ｐｒｏｃｅｓｓｉｎｇ）を経る。誤り検出がＣＲＣを通じて伝送ブロック或いはコードブロックに適用されるが、通常、全体（ｅｎｔｉｒｅ）伝送ブロック或いは全体コードブロックが、該当のブロックに付加されるＣＲＣパリティビットを計算するために用いられる。本発明では、ＭＴＣ−ＳＩ−ＲＮＴＩをＣＲＣパリティビットの計算のために用いることができ、本発明の一実施例に係る上位層信号に対応する伝送ブロック或いはコードブロックに、ＭＴＣ−ＳＩ−ＲＮＴＩを用いて計算されたＣＲＣパリティビットを付加することができる。ＭＴＣ−ＳＩ−ＲＮＴＩをａ０，ａ１，ａ２，ａ３，．．．，ａＡ−１とし、ＣＲＣパリティビットをｂ０，ｂ１，ｂ２，ｂ３，．．．，ｂＬ−１としよう。ここで、ＡはＭＴＣ−ＳＩ−ＲＮＴＩの長さであり、Ｌはパリティビットの個数である。ＣＲＣパリティビットは、例えば、次の循環生成器多項式（ｃｙｃｌｉｃ  ｇｅｎｅｒａｔｏｒ  ｐｏｌｙｎｏｍｉａｌ）のうちの一つによって生成することができる。
【０２３２】
【数１１】
0006284951.tif 000036
【０２３３】
【数１２】
0006284951.tif 000037
【０２３４】
ここで、ｇＣＲＣ２４Ａは、伝送ブロックにＣＲＣとして付加される２４個のパリティビットを生成する循環生成器多項式を意味し、ｇＣＲＣ２４Ｂは、コードブロックにＣＲＣとして付加される２４個のパリティビットを生成する循環生成器多項式を意味する。符号化（ｅｎｃｏｄｉｎｇ）は、システマチック（ｓｙｓｔｅｍａｔｉｃ）形態で行われ、これは、２のガロアフィールド（Ｇａｌｏｉｓ  ｆｉｅｌｄ）ＧＦ（２）において多項式‘ａ０ＤＡ＋２３＋ａ１ＤＡ＋２２＋．．．＋ａＡ−１ＤＡ＋２４＋ｐ０Ｄ２３＋ｐ０Ｄ２２＋．．．＋ｐ２２Ｄ１＋ｐ２３’が該当の長さ−２４ＣＲＣ生成器多項式ｇＣＲＣ２４Ａ又はｇＣＲＣ２４Ｂで除算されるとき、０の余り（ｒｅｍａｉｎｄｅｒ）を算出（ｙｉｅｌｄ）することを意味する。
【０２３５】
或いは、ＣＲＣが付加される全伝送ブロック或いは全コードブロックに対して、式１１及び式１２を用いてＣＲＣを計算し、計算されたＣＲＣをＭＴＣ−ＳＩ−ＲＮＴＩによってスクランブルした後に該当の伝送ブロック或いは伝送ブロックに付加することもできる。例えば、次の式によって、ＣＲＣパリティビットｂ０，ｂ１，ｂ２，ｂ３，．．．，ｂＬ−１を該当のＭＴＣ−ＳＩ−ＲＮＴＩであるｘｒｎｔｉ，０，ｘｒｎｔｉ，１，ｘｒｎｔｉ，２，．．．，ｘｒｎｔｉ，Ｃ−１でスクランブルすることができる。
【０２３６】
【数１３】
0006284951.tif 000038
【０２３７】
ここで、ｘｒｎｔｉ，０は、ＭＴＣ−ＳＩ−ＲＮＴＩの最上位ビットに該当し、Ｃは、ＭＴＣ−ＳＩ−ＲＮＴＩの長さを意味する。
【０２３８】
過程３）と関連し、式８のスクランブリング識別子ｎＳＣＩＤにＭＴＣ−ＳＩ−ＲＮＴＩを適用することができる。ＵＥは、ＵＥ−ＲＳの生成に用いられたスクランブリング識別子として用いられたＭＴＣ−ＳＩ−ＲＮＴＩを知っていることから、ＰＤＳＣＨと共に送信されたＵＥ−ＲＳシーケンスがわかり、よって、上記ＵＥ−ＲＳシーケンスを用いてＰＤＳＣＨに対する復号を行うことによって、上記ＰＤＳＣＨの搬送する上位層信号を取得することができる。
【０２３９】
ｅＮＢがＭＴＣ  ＵＥのためのＵＥ−特定的ＲＲＣパラメータを送信するときも、同様に、ＭＴＣ  ＵＥのためのＵＥ−特定的ＲＲＣパラメータを送信するＰＤＳＣＨ領域では、既存のＲＲＣパラメータを送信する方式とは異なる方式でＵＥ−特定的ＲＲＣパラメータに関する情報を送信することができる。例えば、ＵＥ−特定的ＲＲＣパラメータに対して予め指定された値を有するセットを事前に複数個定義し、ＵＥが使用するＵＥ−特定的ＲＲＣパラメータ値を知らせるために、ＵＥが使用するセットのインデックスを知らせることができる。ＭＴＣ  ＵＥのＵＥ−特定的ＲＲＣパラメータの量を縮小して送信するために使用できる方法が、本発明の実施例Ａに説明されている。
【０２４０】
本発明で提案する内容に基づいて、カバレッジ問題が存在するＭＴＣ  ＵＥが特性セルに初期接続（ｉｎｉｔｉａｌ  ａｃｃｅｓｓ）を行う過程には、次のような動作を行うことができる。
【０２４１】
・  方法１．    ＰＳＳ／ＳＳＳの受信：ＭＴＣ  ＵＥは特性セルにアタッチするためにＰＳＳ／ＳＳＳを受信する過程を次のように進行して、自身がカバレッジ強化を必要とするＵＥであることを判断することができる。
【０２４２】
ＰＳＳ／ＳＳＳ受信時間期間（ｔｉｍｅ  ｄｕｒａｔｉｏｎ）と判断：ＵＥは、特定時間期間値である時間＿Ｓ＿Ｌ（ｔｉｍｅ＿Ｓ＿Ｌ）の間にＰＳＳ／ＳＳＳ受信を試み、成功的に受信すると、自身がカバレッジ問題のないＭＴＣ  ＵＥであると認識することができる。このとき、ＵＥは、‘時間＿Ｓ＿Ｍ−時間＿Ｓ＿Ｌ’の間にＰＳＳ／ＳＳＳ受信をさらに試みてもよく、又は、時間＿Ｓ＿Ｍの間に再び試みてもよい。ＵＥは、特定時間期間値である時間＿Ｓ＿Ｌの間にＰＳＳ／ＳＳＳ受信に失敗し、これよりも大きい時間期間値である時間＿Ｓ＿Ｍの間にＰＳＳ／ＳＳＳ受信を試み、ＰＳＳ／ＳＳＳを成功的に受信すると、自身をカバレッジ強化を行うべきＭＴＣ  ＵＥであると認識することができる。参考として、時間＿Ｓ＿Ｍの間にもＰＳＳ／ＳＳＳを受信できないと、ＵＥはセルを検出することができず、よって、該当のセルの存在を確認することができない。
【０２４３】
・  方法２．    ＭＩＢの受信：ＭＴＣ  ＵＥは、特定セルにアタッチするために、すなわち、接続するために、ＰＢＣＨを受信する過程を次のような代案（ａｌｔｅｒｎａｔｉｖｅ）の少なくとも１つのように進行して、自身がカバレッジ強化を必要とするＵＥであることを判断することができる。
【０２４４】
代案１．ＰＢＣＨ受信時間期間によって判断：ＵＥは、特定時間期間値である時間＿Ｂ＿Ｌの間にＰＢＣＨ受信を試み、ＰＢＣＨを成功的に受信すると、自身がカバレッジ問題のないＭＴＣ  ＵＥであると認識できる。ＵＥは、特定時間期間値である時間＿Ｂ＿Ｌの間にＰＢＣＨ受信に失敗し、これよりも大きい時間期間値である時間＿Ｂ＿Ｍの間にＰＢＣＨ受信を試みてＰＢＣＨを成功的に受信すると、自身をカバレッジ強化を行うべきＭＴＣ  ＵＥと認識することができる。
【０２４５】
代案２．ＭＴＣ用ＰＢＣＨを受信したか否かによって判断：ＵＥは、レガシーＵＥと同様にレガシーＰＢＣＨ受信を試み、レガシーＰＢＣＨを成功的に受信すると、自身がカバレッジ問題のないＭＴＣ  ＵＥであると認識することができる。レガシーＰＢＣＨの受信に失敗した場合、ＵＥはＭＴＣのためのＰＢＣＨ、すなわち、レガシーＰＢＣＨとは別に定義されたＰＢＣＨ（以下、ＭＴＣ−ＰＢＣＨ）の受信を試みて該ＭＴＣ−ＰＢＣＨを成功的に受信すると、自身がカバレッジ強化を必要とするＭＴＣ  ＵＥであると認識することができる。
【０２４６】
ＭＴＣのためのＰＢＣＨは、例えば、レガシーＰＢＣＨの（サブフレーム及びＲＢ）位置と追加のサブフレーム位置で送信したり、レガシーＰＢＣＨとは異なる新しい（サブフレーム及び／又はＲＢ）位置で送信することができる。ＭＴＣのためのＰＢＣＨをレガシーＰＢＣＨの位置と追加のサブフレーム位置で送信する場合には、ＭＴＣのためのＰＢＣＨをレガシーＰＢＣＨと同一のコンテンツで構成することができる。ＭＴＣのためのＰＢＣＨをレガシーＰＢＣＨと異なる新しい位置で送信する場合には、ＭＴＣのためのＰＢＣＨをレガシーＰＢＣＨと同一の或いは異なるコンテンツで構成することができる。
【０２４７】
・  方法３．    ＲＲＭを利用：ＵＥは、該当のセルに対するＲＲＭを行い、ＲＲＭ結果（例、ＲＳＲＰ）が特定臨界値（ｔｈｒｅｓｈｏｌｄ  ｖａｌｕｅ）よりも低いと、自身をカバレッジ強化が必要なＭＴＣ  ＵＥとして認識することができる。
【０２４８】
・  方法４．    ＳＩＢの受信：ＵＥは、レガシーＵＥと同一の方式でＳＩＢ（例、ＳＩＢ１）の受信を試み、特定時間期間の間にＳＩＢ受信に失敗すると、自身をカバレッジ強化が必要なＭＴＣ  ＵＥとして認識することができる。
【０２４９】
方法１、方法２、方法３及び／又は方法４に基づいて、自身がカバレッジ強化を必要とするＭＴＣ  ＵＥであると認識したＭＴＣ  ＵＥは、レガシーＵＥとは異なる過程でＳＩＢを受信することができる。例えば、ｅＮＢは、カバレッジ強化が必要なＵＥに、次の代案の少なくとも１つを用いてＳＩＢを送信することができ、カバレッジ強化が必要なＵＥは、次の代案の少なくとも１つを用いてＳＩＢを取得することができる。
【０２５０】
代案１．  ＳＩＢを受信しない：カバレッジ強化が必要なＭＴＣ  ＵＥは、ＳＩＢの一部の情報をＭＩＢから得、ＳＩＢの受信を試みないでＰＲＡＣＨを送信することができる。ただし、この場合、ＰＲＡＣＨ設定などの一部のＳＩＢ情報が、ＭＴＣ  ＵＥが受信するＭＩＢに含まれる。ＭＴＣ  ＵＥのための新しいＰＢＣＨに、上記ＰＲＡＣＨ設定などの一部のＳＩＢ情報が含まれてもよく、レガシーＰＢＣＨの留保されたビット（ｒｅｓｅｒｖｅｄ  ｂｉｔ）に、該当の情報が含まれてもよい。
【０２５１】
代案２．  ＭＩＢに含まれたＳＩＢ位置情報を用いてＳＩＢを受信：カバレッジ強化が必要なＭＴＣ  ＵＥは、ＳＩＢ  ＰＤＳＣＨの送信位置に関する情報に基づいてＳＩＢを受信することができるが、ＳＩＢ  ＰＤＳＣＨの送信位置に関する情報はＭＩＢに含まれてＵＥに送信されうる。ＳＩＢ送信位置に関する情報は、ＳＩＢ  ＰＤＳＣＨ送信バンドルの送信開始サブフレーム位置（例、ＰＤＳＣＨ送信バンドルオフセット）、ＳＩＢ  ＰＤＳＣＨ送信バンドル周期（例、ＰＤＳＣＨバンドル送信周期）、ＳＩＢ  ＰＤＳＣＨ送信バンドル大きさ、ＳＩＢ  ＰＤＳＣＨが送信されるＲＢ位置などの情報であってもよい。ＭＴＣ  ＵＥのための新しいＰＢＣＨにＳＩＢ送信位置に関する情報が含まれてもよく、レガシーＰＢＣＨの留保されたビットにＳＩＢ送信位置に関する情報が含まれてもよい。
【０２５２】
代案３．  カバレッジ強化が必要なＭＴＣ  ＵＥは、予め定められた（標準文書などに定義された）特定ＳＩＢ送信位置上でＳＩＢを受信することができる。
【０２５３】
代案４．  ＭＴＣ−ＳＩ−ＲＮＴＩを用いてＳＩＢを受信：カバレッジ強化が必要なＭＴＣ  ＵＥは、ＳＩ−ＲＮＴＩではなくＭＴＣ−ＳＩ−ＲＮＴＩを用いてＰＤＣＣＨの受信を試み、ＳＩＢを搬送するＰＤＳＣＨの受信を試みることができる。ＭＴＣ  ＵＥは、自身に設定されたＭＴＣ−ＳＩ−ＲＮＴＩを用いてＰＤＣＣＨをデマスク或いはデスクランブルし、有効にデマスク或いはデスクランブルされたＰＤＣＣＨを自身のＰＤＣＣＨとして判断することができる。
【０２５４】
代案５．  ＳＩＢコンテンツの構成：代案３によってｅＮＢがＵＥに送信するＳＩＢのコンテンツは、本発明の実施例Ａで提案した方法のいずれか一つを用いて構成することができる。
【０２５５】
（Ｃ．ＳＩＢ、ＲＲＣ信号の受信遅延（ｄｅｌａｙ）のためのＵＥの動作）
現在ＬＴＥ／ＬＴＥ−ＡシステムにおいてＲＲＣ＿接続（ＲＲＣ＿ｃｏｎｎｅｃｔｅｄ）モードのＵＥが一定時間にＲＲＣパラメータをｅＮＢから受信できないと、ＲＲＣ＿休止（ＲＲＣ＿ｉｄｌｅ）モードに切り替わる。しかし、ＭＴＣ環境で、カバレッジ強化モードで動作するＵＥは、ＲＲＣパラメータを（成功的に）受信するためにレガシーＵＥに比べて遥かに長い時間がかかりうる。本発明では、ＭＴＣ  ＵＥがＳＩＢ、ＲＲＣパラメータなどをカバレッジ強化のために長期間受信する途中で、ＲＲＣパラメータを受信すべき期間が過ぎることから受信を終えないままＵＥがＲＲＣ＿休止モードに遷移することを防止するために、カバレッジ強化が必要なＭＴＣ  ＵＥは常にＲＲＣ＿接続モードを維持すること、又はＭＴＣ  ＵＥはＲＲＣ＿休止モードに遷移しないことを提案する。
【０２５６】
本発明の実施例Ａ、実施例Ｂ及び実施例Ｃは、独立して適用されてもよく、２つ以上が併せて適用されてもよい。
【０２５７】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに具備されたプロセッサ、ＲＦユニット及びメモリを、ＵＥプロセッサ、ＵＥ  ＲＦユニット及びＵＥメモリとそれぞれ称し、ｅＮＢに具備されたプロセッサ、ＲＦユニット及びメモリを、ｅＮＢプロセッサ、ｅＮＢ  ＲＦユニット及びｅＮＢメモリとそれぞれ称する。
【０２５８】
本発明に係るｅＮＢプロセッサは、本発明の実施例Ａの方法によって、上位層信号の送信のために定義された複数のパラメータセットのうち、実際に送信しようとする上位層情報に対応するパラメータセットを示す指示情報を生成することができる。ｅＮＢプロセッサは、ｅＮＢ  ＲＦユニットが上記指示情報を送信するようにすることができる。ｅＮＢプロセッサは、本発明の実施例Ｂによって、カバレッジ強化に対応する特定モードにあるＵＥのための上位層情報を、上記特定モードのためにレガシーＰＢＣＨとは別に定義された新しいＰＢＣＨを介して送信するようにｅＮＢ  ＲＦユニットを制御することができる。又は、ｅＮＢプロセッサは、本発明の実施例Ｂによって、カバレッジ強化に対応する特定モードにあるＵＥのための上記上位層情報を、上記特定モードのために割り当てられたＰＤＳＣＨを介して送信することができる。上記上位層情報がシステム情報である場合に、ｅＮＢプロセッサは、上記上位層情報が上記特定モードのＵＥのためのものであるか否かによって異なるＳＩ−ＲＮＴＩを使用することができる。例えば、ｅＮＢプロセッサは、本発明の実施例Ａではなく既存の方法によって構成された上位層信号の送信、或いは本発明の実施例Ａによって構成された上位層信号といっても上記特定モードのＵＥのためのものでない上位層信号の送信のためには、既存のＳＩ−ＲＮＴＩ（以下、レガシーＳＩ−ＲＮＴＩ）を使用する。一方、上記特定モードのＵＥのための上位層情報は、上記特定モードのためにレガシーＳＩ−ＲＮＴＩとは区別されるように定義された新しいＳＩ−ＲＮＴＩ（例、ＭＴＣ−ＳＩ−ＲＮＴＩ）を用いてスクランブリング、ＣＲＣ付加及び／又は上記上位層情報を搬送するＰＤＳＣＨの復調のためのＵＥ−ＲＳの生成を行うことができる。ｅＮＢプロセッサは、上記ＰＤＳＣＨに対するスケジューリング情報を搬送するＰＤＣＣＨに上記新しいＳＩ−ＲＮＴＩを適用することができる。ｅＮＢプロセッサは、上記特定モードのＵＥのためにＰＤＳＣＨ送信にサブフレーム反復、サブフレームバンドリング、ＲＳ密度増加などをさらに適用することができる。そのために、ｅＮＢプロセッサは、ＰＤＳＣＨ送信が反復されるサブフレームを示す情報及び／又は増加された密度のＲＳパターンを示す情報を送信するようにｅＮＢ  ＲＦユニットを制御することができる。
【０２５９】
本発明に係るＵＥプロセッサは、本発明の実施例Ａの方法によって、上位層信号の送信のために定義された複数のパラメータセットのうち、ＵＥが該当のセルで信号を送信／受信するために実際に使用するパラメータセットを示す指示情報を受信するように上記ＵＥ  ＲＦユニットを制御することができる。通常、ＭＩＢ、ＳＩＢｘ、ＲＲＣメッセージが含むパラメータは、当該パラメータの値が変わる度に、或いはＵＥに新しいパラメータ値が提供される度に再び送信されるのに対し、本発明の実施例Ａによれば、簡単な指示情報のみが上位層信号としてＵＥに送信される。ＵＥプロセッサは、上記指示情報が示すパラメータセットの値を該当の上位層信号が含む一連のパラメータに対する値として判断する或いは見なすことができる。ＵＥプロセッサは、本発明の実施例Ｂによって、該当のＵＥがカバレッジ強化に対応する特定モードと設定されていると、上位層情報を、上記特定モードのためにレガシーＰＢＣＨとは別に定義された新しいＰＢＣＨを介して受信するようにＵＥ  ＲＦユニットを制御することができる。又は、ＵＥプロセッサは、本発明の実施例Ｂによって、該当のＵＥがカバレッジ強化に対応する特定モードと設定されていると、カバレッジ強化に対応する特定モードにあるＵＥのための上記上位層情報を、上記特定モードのために割り当てられたＰＤＳＣＨを介して受信することができる。上記上位層情報がシステム情報である場合、ＵＥプロセッサは、上記上位層情報が上記特定モードのＵＥのためのものか否かによって異なるＳＩ−ＲＮＴＩを使用することができる。例えば、ＵＥプロセッサは、本発明の実施例Ａではなく既存の方法によって構成された上位層信号の送信、或いは本発明の実施例Ａによって構成された上位層信号といっても上記特定モードのＵＥのためのものでない上位層信号の送信のためには、既存のＳＩ−ＲＮＴＩ（以下、レガシーＳＩ−ＲＮＴＩ）を使用する。これに対し、上記特定モードのＵＥのための上位層情報は、上記特定モードのためにレガシーＳＩ−ＲＮＴＩとは区別されるように定義された新しいＳＩ−ＲＮＴＩ（例、ＭＴＣ−ＳＩ−ＲＮＴＩ）を用いてデスクランブリング、ＣＲＣを用いた誤り検出、ＣＲＣ除去及び／又は上記上位層情報を搬送するＰＤＳＣＨの復調を、上記新しいＳＩ−ＲＮＴＩを用いて生成されたＵＥ−ＲＳを用いて行うことができる。ＵＥプロセッサは、上記ＰＤＳＣＨに対するスケジューリング情報を搬送するＰＤＣＣＨに上記新しいＳＩ−ＲＮＴＩを適用することができる。ＵＥプロセッサは、上記特定モードのＵＥのためにＰＤＳＣＨ送信にサブフレーム反復、サブフレームバンドリング、ＲＳ密度増加などをさらに適用することができる。そのために、ＵＥプロセッサは、ＰＤＳＣＨ送信が反復されるサブフレームを示す情報及び／又は増加された密度のＲＳパターンを示す情報を受信するようにＵＥ  ＲＦユニットを制御することができる。ＵＥプロセッサは、本発明の実施例Ｂの方法１、方法２、方法３及び／又は方法４を用いて、上記ＵＥが上記特定モードと設定されるべきか否かを判断することができる。ＵＥプロセッサは、上記ＵＥが特定モードと設定されなければならないと判断すると、レガシーＳＩ−ＲＮＴＩではなく新しいＳＩ−ＲＮＴＩを用いて上位層信号を物理チャネルから取得することができる。より詳しく説明すると、ＵＥプロセッサの物理層（ｅｎｔｉｔｙ）は、ＰＳＳ／ＳＳＳの成功的受信のためにかかる時間、ＰＢＣＨの成功的受信のための時間、ＲＲＭ結果及び／又は特定ＳＩＢ（例、ＳＩＢ１）の成功的受信のためにかかる時間を、ＵＥプロセッサの上位層に伝達（ｔｒａｎｓｐｏｒｔ）し、ＵＥプロセッサの上位層は、上記物理層から伝達された情報に基づいて上記特定モードで動作するか否かを決定することができる。上記特定モードで動作しなければならないと判断すると、上記上位層は、レガシーＳＩ−ＲＮＴＩの代わりに新しいＳＩ−ＲＮＴＩを上記物理層に知らせることができる。これによって、ＵＥプロセッサは、上記新しいＳＩ−ＲＮＴＩを用いて上位層信号を取得することができる。
【０２６０】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。したがって、本発明は、ここに開示された実施の形態に制限しようとするものではなく、ここに開示された原理及び新規な特徴と一致する最も広い範囲を与えようとするものである。
【産業上の利用可能性】
【０２６１】
本発明の実施例は、無線通信システムにおいて、基地局又はユーザ機器、その他の装備に用いることができる。
【図１】
0006284951.tif 000039
【図２】
0006284951.tif 000040
【図３】
0006284951.tif 000041
【図４】
0006284951.tif 000042
【図５】
0006284951.tif 000043
【図６】
0006284951.tif 000044
【図７】
0006284951.tif 000045
【図８】
0006284951.tif 000046
【図９】
0006284951.tif 000047
【図１０】
0006284951.tif 000048
【図１１】
0006284951.tif 000049
【図１２】
0006284951.tif 000050
【図１３】
0006284951.tif 000051
【図１４】
0006284951.tif 000052